(57)【特許請求の範囲】
【請求項１】
第１の画像処理装置、第２の画像処理装置、および第３の画像処理装置からなる画像処理システムにおいて、
前記第１の画像処理装置は、
第１の画像データから、前記第１の画像データを基に表示される画像よりも低い解像度の前記画像を表示させるための第２の画像データを抽出する第１の抽出手段と、
前記第１の画像データから、前記第２の画像データを除いた第３の画像データを抽出する第２の抽出手段と、
前記第２の画像データの第１の記録媒体への記録を制御する第１の記録制御手段と、
前記第３の画像データの第２の記録媒体への記録を制御する第２の記録制御手段と
を備え、
前記第２の画像処理装置は、
前記第１の記録媒体に記録された前記第２の画像データを基に表示される前記画像の所定の区間の開始時刻および終了時刻を設定する設定手段と、
前記第１の記録媒体に記録された前記第２の画像データに、前記開始時刻および前記終了時刻を示す情報を付加する付加手段と
を備え、
前記第３の画像処理装置は、
前記第１の記録媒体および前記第２の記録媒体から、前記開始時刻および前記終了時刻を示す情報が付加された前記第２の画像データ、および前記第３の画像データを読み込む読み込み手段と、
前記第２の画像データおよび前記第３の画像データを基に前記第１の画像データを生成する生成手段と
備える
画像処理システム。
【請求項２】
第１の画像データから、前記第１の画像データを基に表示される画像よりも低い解像度の前記画像を表示させるための第２の画像データを抽出する第１の抽出手段と、
前記第１の画像データから、前記第２の画像データを除いた第３の画像データを抽出する第２の抽出手段と、
前記第２の画像データの第１の記録媒体への記録を制御する第１の記録制御手段と、
前記第３の画像データの第２の記録媒体への記録を制御する第２の記録制御手段と、
前記第１の記録媒体および前記第２の記録媒体からなるグループを識別するためのグループＩＤを生成するグループＩＤ生成手段と、
前記第１の記録媒体を識別するためのアイテムＩＤ、および前記第２の記録媒体を識別するためのアイテムＩＤを生成するアイテムＩＤ生成手段と
を備え、
前記第１の記録制御手段は、さらに、前記第２の画像データに前記グループＩＤ、および前記第１の記録媒体を識別するためのアイテムＩＤを付加し、
前記第２の記録制御手段は、さらに、前記第３の画像データに前記グループＩＤ、および前記第２の記録媒体を識別するためのアイテムＩＤを付加する
画像処理装置。
【請求項３】
第１の画像データから、前記第１の画像データを基に表示される画像よりも低い解像度の前記画像を表示させるための第２の画像データを抽出する第１の抽出ステップと、
前記第１の画像データから、前記第２の画像データを除いた第３の画像データを抽出する第２の抽出ステップと、
前記第２の画像データの第１の記録媒体への記録を制御する第１の記録制御ステップと、
前記第３の画像データの第２の記録媒体への記録を制御する第２の記録制御ステップと、
前記第１の記録媒体および前記第２の記録媒体からなるグループを識別するためのグループＩＤを生成するグループＩＤ生成ステップと、
前記第１の記録媒体を識別するためのアイテムＩＤ、および前記第２の記録媒体を識別するためのアイテムＩＤを生成するアイテムＩＤ生成ステップと
を含み、
前記第１の記録制御ステップにおいて、さらに、前記第２の画像データに前記グループＩＤ、および前記第１の記録媒体を識別するためのアイテムＩＤを付加し、
前記第２の記録制御ステップにおいて、さらに、前記第３の画像データに前記グループＩＤ、および前記第２の記録媒体を識別するためのアイテムＩＤを付加する
画像処理方法。
【請求項４】
第１の画像データから、前記第１の画像データを基に表示される画像よりも低い解像度の前記画像を表示させるための第２の画像データを抽出する第１の抽出ステップと、
前記第１の画像データから、前記第２の画像データを除いた第３の画像データを抽出する第２の抽出ステップと、
前記第２の画像データの第１の記録媒体への記録を制御する第１の記録制御ステップと、
前記第３の画像データの第２の記録媒体への記録を制御する第２の記録制御ステップと、
前記第１の記録媒体および前記第２の記録媒体からなるグループを識別するためのグループＩＤを生成するグループＩＤ生成ステップと、
前記第１の記録媒体を識別するためのアイテムＩＤ、および前記第２の記録媒体を識別するためのアイテムＩＤを生成するアイテムＩＤ生成ステップと
を含む処理をコンピュータに実行させ、
前記第１の記録制御ステップにおいて、さらに、前記第２の画像データに前記グループＩＤ、および前記第１の記録媒体を識別するためのアイテムＩＤを付加させ、
前記第２の記録制御ステップにおいて、さらに、前記第３の画像データに前記グループＩＤ、および前記第２の記録媒体を識別するためのアイテムＩＤを付加させる
プログラム。
【請求項５】
第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体および第２の記録媒体から読み込む読み込み手段と、
前記第２の画像データおよび前記第３の画像データを基に前記第１の画像データを生成する生成手段と、
前記第１の画像データを基に表示される前記画像の所定の区間の開始時刻および終了時刻を設定する設定手段と、
前記第１の画像データから、設定された前記区間を表示するための第４の画像データを取得する取得手段と、
取得した前記第４の画像データを送信する送信手段と
を備える画像処理装置。
【請求項６】
第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体および第２の記録媒体から読み込む読み込みステップと、
前記第２の画像データおよび前記第３の画像データを基に前記第１の画像データを生成する生成ステップと、
前記第１の画像データを基に表示される前記画像の所定の区間の開始時刻および終了時刻を設定する設定ステップと、
前記第１の画像データから、設定された前記区間を表示するための第４の画像データを取得する取得ステップと、
取得した前記第４の画像データの送信を制御する送信制御ステップと
を含む画像処理方法。
【請求項７】
第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体および第２の記録媒体から読み込む読み込みステップと、
前記第２の画像データおよび前記第３の画像データを基に前記第１の画像データを生成する生成ステップと、
前記第１の画像データを基に表示される前記画像の所定の区間の開始時刻および終了時刻を設定する設定ステップと、
前記第１の画像データから、設定された前記区間を表示するための第４の画像データを取得する取得ステップと、
取得した前記第４の画像データの送信を制御する送信制御ステップと
をコンピュータに実行させるプログラム。
【発明の詳細な説明】
【技術分野】
【０００１】
本発明は画像処理装置および方法、プログラム、並びに画像処理システムに関し、特に、より簡単に画像の再生または編集を行うことができるようにした画像処理装置および方法、プログラム、並びに画像処理システムに関する。
【背景技術】
【０００２】
従来、撮影された動画像をより迅速に編集できるように、１つの光ディスクに、比較的低い圧縮率で圧縮された画像データ（動画像データ）と、その画像データよりも高い圧縮率で圧縮された低解像度の画像データとを記録しておき、撮影後に低解像度の画像データを用いて簡易的な編集を行う編集装置が提案されている（例えば、特許文献１参照）。
【０００３】
しかしながら、広帯域の画像を扱う場合、例えば、高解像度カメラにより撮影して得られた画像データを記録媒体に記録する場合、画像データのビットレートが、記録媒体の記録速度よりも速い（大きい）と、画像データをリアルタイムで記録することができなくなってしまう。
【０００４】
そこで、広帯域の画像を扱う場合、画像を撮影する撮影装置において、１つの画像データが複数の画像データに分割され、分割された画像データのそれぞれが、複数の記録媒体のそれぞれに記録されていた。
【０００５】
【特許文献１】特開２００４−３４３２１７号公報
【発明の開示】
【発明が解決しようとする課題】
【０００６】
ところで、１つの画像データが複数の記録媒体に分割されて記録された場合、画像データに基づく画像を再生しようとすると、分割された画像データが記録されている全ての記録媒体が必要となる。一般的に、撮影された画像を再生する装置としてパーソナルコンピュータが用いられることが多いが、通常、パーソナルコンピュータには、記録媒体を装着（接続）するためのスロットは１つしか設けられていない。すなわち、複数の記録媒体を一度にパーソナルコンピュータに装着することはできない。
【０００７】
したがって、パーソナルコンピュータが、記録媒体に記録されている画像データを読み込んで画像を再生するためには、複数の記録媒体が接続可能な専用のアダプタなどの特殊な装置を、パーソナルコンピュータに接続する必要があり、撮影された画像を再生して確認したり、撮影された画像の一部（例えば、サムネイル画像等）を表示させて画像の編集を行ったりすることが困難であった。
【０００８】
本発明は、このような状況に鑑みてなされたものであり、複数の記録媒体に１つの画像データを分割して記録した場合においても、より簡単に画像の再生または編集を行うことができるようにするものである。
【課題を解決するための手段】
【０００９】
本発明の第１の側面の画像処理システムは、第１の画像処理装置、第２の画像処理装置、および第３の画像処理装置からなる画像処理システムであって、前記第１の画像処理装置は、第１の画像データから、前記第１の画像データを基に表示される画像よりも低い解像度の前記画像を表示させるための第２の画像データを抽出する第１の抽出手段と、前記第１の画像データから、前記第２の画像データを除いた第３の画像データを抽出する第２の抽出手段と、前記第２の画像データの第１の記録媒体への記録を制御する第１の記録制御手段と、前記第３の画像データの第２の記録媒体への記録を制御する第２の記録制御手段とを備え、前記第２の画像処理装置は、前記第１の記録媒体に記録された前記第２の画像データを基に表示される前記画像の所定の区間の開始時刻および終了時刻を設定する設定手段と、前記第１の記録媒体に記録された前記第２の画像データに、前記開始時刻および前記終了時刻を示す情報を付加する付加手段とを備え、前記第３の画像処理装置は、前記第１の記録媒体および前記第２の記録媒体から、前記開始時刻および前記終了時刻を示す情報が付加された前記第２の画像データ、および前記第３の画像データを読み込む読み込み手段と、前記第２の画像データおよび前記第３の画像データを基に前記第１の画像データを生成する生成手段とを備える。
【００１０】
本発明の第１の側面においては、第１の画像処理装置において、第１の画像データから、前記第１の画像データを基に表示される画像よりも低い解像度の前記画像を表示させるための第２の画像データが抽出され、前記第１の画像データから、前記第２の画像データを除いた第３の画像データが抽出され、前記第２の画像データの第１の記録媒体への記録が制御され、前記第３の画像データの第２の記録媒体への記録が制御され、第２の画像処理装置において、前記第１の記録媒体に記録された前記第２の画像データを基に表示される前記画像の所定の区間の開始時刻および終了時刻が設定され、前記第１の記録媒体に記録された前記第２の画像データに、前記開始時刻および前記終了時刻を示す情報が付加される。そして、第３の画像処理装置において、前記第１の記録媒体および前記第２の記録媒体から、前記開始時刻および前記終了時刻を示す情報が付加された前記第２の画像データ、および前記第３の画像データが読み込まれ、前記第２の画像データおよび前記第３の画像データを基に前記第１の画像データが生成される。
【００１１】
本発明の第２の側面の画像処理装置は、第１の画像データから、前記第１の画像データを基に表示される画像よりも低い解像度の前記画像を表示させるための第２の画像データを抽出する第１の抽出手段と、前記第１の画像データから、前記第２の画像データを除いた第３の画像データを抽出する第２の抽出手段と、前記第２の画像データの第１の記録媒体への記録を制御する第１の記録制御手段と、前記第３の画像データの第２の記録媒体への記録を制御する第２の記録制御手段と、前記第１の記録媒体および前記第２の記録媒体からなるグループを識別するためのグループＩＤを生成するグループＩＤ生成手段と、前記第１の記録媒体を識別するためのアイテムＩＤ、および前記第２の記録媒体を識別するためのアイテムＩＤを生成するアイテムＩＤ生成手段とを備え、前記第１の記録制御手段は、さらに、前記第２の画像データに前記グループＩＤ、および前記第１の記録媒体を識別するためのアイテムＩＤを付加し、前記第２の記録制御手段は、さらに、前記第３の画像データに前記グループＩＤ、および前記第２の記録媒体を識別するためのアイテムＩＤを付加する。
【００１７】
本発明の第２の側面の画像処理方法またはプログラムは、第１の画像データから、前記第１の画像データを基に表示される画像よりも低い解像度の前記画像を表示させるための第２の画像データを抽出する第１の抽出ステップと、前記第１の画像データから、前記第２の画像データを除いた第３の画像データを抽出する第２の抽出ステップと、前記第２の画像データの第１の記録媒体への記録を制御する第１の記録制御ステップと、前記第３の画像データの第２の記録媒体への記録を制御する第２の記録制御ステップと、前記第１の記録媒体および前記第２の記録媒体からなるグループを識別するためのグループＩＤを生成するグループＩＤ生成ステップと、前記第１の記録媒体を識別するためのアイテムＩＤ、および前記第２の記録媒体を識別するためのアイテムＩＤを生成するアイテムＩＤ生成ステップとを含み、前記第１の記録制御ステップにおいて、さらに、前記第２の画像データに前記グループＩＤ、および前記第１の記録媒体を識別するためのアイテムＩＤを付加し、前記第２の記録制御ステップにおいて、さらに、前記第３の画像データに前記グループＩＤ、および前記第２の記録媒体を識別するためのアイテムＩＤを付加する。
【００１８】
本発明の第２の側面においては、第１の画像データから、前記第１の画像データを基に表示される画像よりも低い解像度の前記画像を表示させるための第２の画像データが抽出され、前記第１の画像データから、前記第２の画像データを除いた第３の画像データが抽出され、前記第２の画像データの第１の記録媒体への記録が制御され、前記第３の画像データの第２の記録媒体への記録が制御され、前記第１の記録媒体および前記第２の記録媒体からなるグループを識別するためのグループＩＤが生成され、前記第１の記録媒体を識別するためのアイテムＩＤ、および前記第２の記録媒体を識別するためのアイテムＩＤが生成される。そして、さらに、前記第２の画像データに前記グループＩＤ、および前記第１の記録媒体を識別するためのアイテムＩＤが付加され、前記第３の画像データに前記グループＩＤ、および前記第２の記録媒体を識別するためのアイテムＩＤが付加される。
【００１９】
本発明の第３の側面の画像処理装置は、第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体および第２の記録媒体から読み込む読み込み手段と、前記第２の画像データおよび前記第３の画像データを基に前記第１の画像データを生成する生成手段と、前記第１の画像データを基に表示される前記画像の所定の区間の開始時刻および終了時刻を設定する設定手段と、前記第１の画像データから、設定された前記区間を表示するための第４の画像データを取得する取得手段と、取得した前記第４の画像データを送信する送信手段とを備える。
【００２３】
本発明の第３の側面の画像処理方法またはプログラムは、第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体および第２の記録媒体から読み込む読み込みステップと、前記第２の画像データおよび前記第３の画像データを基に前記第１の画像データを生成する生成ステップと、前記第１の画像データを基に表示される前記画像の所定の区間の開始時刻および終了時刻を設定する設定ステップと、前記第１の画像データから、設定された前記区間を表示するための第４の画像データを取得する取得ステップと、取得した前記第４の画像データの送信を制御する送信制御ステップとを含む。
【００２４】
本発明の第３の側面においては、第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとが、それぞれ第１の記録媒体および第２の記録媒体から読み込まれ、前記第２の画像データおよび前記第３の画像データを基に前記第１の画像データが生成される。そして、前記第１の画像データを基に表示される前記画像の所定の区間の開始時刻および終了時刻が設定され、前記第１の画像データから、設定された前記区間を表示するための第４の画像データが取得され、取得された前記第４の画像データの送信が制御される。
【発明の効果】
【００２５】
本発明の第１の側面によれば、画像データを記録することができる。また、本発明の第１の側面によれば、複数の記録媒体に１つの画像データを分割して記録した場合においても、より簡単に画像の再生または編集を行うことができる。
【００２６】
本発明の第２の側面によれば、画像データを記録することができる。また、本発明の第２の側面によれば、複数の記録媒体に１つの画像データを分割して記録した場合においても、より簡単に画像の再生または編集を行うことができる。
【００２７】
本発明の第３の側面によれば、画像データを読み込むことができる。また、本発明の第３の側面によれば、複数の記録媒体に１つの画像データを分割して記録した場合においても、より簡単に画像の再生または編集を行うことができる。
【発明を実施するための最良の形態】
【００２８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
本発明の第１の側面の画像処理システムは、第１の画像処理装置（例えば、図１の撮影装置１１）、第２の画像処理装置（例えば、図１の簡易編集装置１２）、および第３の画像処理装置（例えば、図１の編集装置１３）からなる画像処理システムであって、前記第１の画像処理装置は、第１の画像データから、前記第１の画像データを基に表示される画像よりも低い解像度の前記画像を表示させるための第２の画像データを抽出する第１の抽出手段（例えば、図５の画像抽出部１２３）と、前記第１の画像データから、前記第２の画像データを除いた第３の画像データを抽出する第２の抽出手段（例えば、図５の画像抽出部１３０−１乃至画像抽出部１３０−４）と、前記第２の画像データの第１の記録媒体（例えば、図１の記録媒体２１）への記録を制御する第１の記録制御手段（例えば、図５の結合部１２９）と、前記第３の画像データの第２の記録媒体（例えば、図１の記録媒体２２−１乃至記録媒体２２−３）への記録を制御する第２の記録制御手段（例えば、図５の分割部１３１）とを備え、前記第２の画像処理装置は、前記第１の記録媒体に記録された前記第２の画像データを基に表示される前記画像の所定の区間の開始時刻および終了時刻を設定する設定手段（例えば、図１７の編集処理部３６５）と、前記第１の記録媒体に記録された前記第２の画像データに、前記開始時刻および前記終了時刻を示す情報を付加する付加手段（例えば、図１７の書き出し制御部３６６）とを備え、前記第３の画像処理装置は、前記第１の記録媒体および前記第２の記録媒体から、前記開始時刻および前記終了時刻を示す情報が付加された前記第２の画像データ、および前記第３の画像データを読み込む読み込み手段（例えば、図２８の読み込み制御部５６２）と、前記第２の画像データおよび前記第３の画像データを基に前記第１の画像データを生成する生成手段（例えば、図２８の連結部５８２）と備える。
【００３０】
本発明の第２の側面の画像処理装置は、第１の画像データから、前記第１の画像データを基に表示される画像よりも低い解像度の前記画像を表示させるための第２の画像データを抽出する第１の抽出手段（例えば、図５の画像抽出部１２３）と、前記第１の画像データから、前記第２の画像データを除いた第３の画像データを抽出する第２の抽出手段（例えば、図５の画像抽出部１３０−１乃至画像抽出部１３０−４）と、前記第２の画像データの第１の記録媒体（例えば、図１の記録媒体２１）への記録を制御する第１の記録制御手段（例えば、図５の結合部１２９）と、前記第３の画像データの第２の記録媒体（例えば、図１の記録媒体２２−１乃至記録媒体２２−３）への記録を制御する第２の記録制御手段（例えば、図５の分割部１３１）と、前記第１の記録媒体および前記第２の記録媒体からなるグループを識別するためのグループＩＤを生成するグループＩＤ生成手段（例えば、図５のグループＩＤ生成部１２７）と、前記第１の記録媒体を識別するためのアイテムＩＤ、および前記第２の記録媒体を識別するためのアイテムＩＤを生成するアイテムＩＤ生成手段（例えば、図５のアイテムＩＤ生成部１２８、および図６のアイテムＩＤ生成部１６４−１乃至アイテムＩＤ生成部１６４−３）とを備え、前記第１の記録制御手段は、さらに、前記第２の画像データに前記グループＩＤ、および前記第１の記録媒体を識別するためのアイテムＩＤを付加し、前記第２の記録制御手段は、さらに、前記第３の画像データに前記グループＩＤ、および前記第２の記録媒体を識別するためのアイテムＩＤを付加する。
【００３５】
本発明の第３の側面の画像処理装置は、第１の画像データから抽出された、前記第１の画像データを基に表示される画像よりも低い解像度の前記画像を表示させるための第２の画像データと、前記第１の画像データから抽出された前記第１の画像データから前記第２の画像データを除いた第３の画像データとを、それぞれ第１の記録媒体（例えば、図１の記録媒体２１）および第２の記録媒体（例えば、図１の記録媒体２２−１乃至記録媒体２２−３）から読み込む読み込み手段（例えば、図２８の読み込み制御部５６２）と、前記第２の画像データおよび前記第３の画像データを基に前記第１の画像データを生成する生成手段（例えば、図２８の連結部５８２）と、前記第１の画像データを基に表示される前記画像の所定の区間の開始時刻および終了時刻を設定する設定手段（例えば、図２８の編集処理部５６７）と、前記第１の画像データから、設定された前記区間を表示するための第４の画像データを取得する取得手段（例えば、図２８の書き出し制御部５６８）と、取得した前記第４の画像データを送信する送信手段（例えば、図２８の通信部５０９）とを備える。
【００４０】
以下、図面を参照して、本発明を適用した実施の形態について説明する。
【００４１】
図１は、本発明を適用した画像処理システムの一実施の形態の構成例を示している。この画像処理システムは、撮影装置１１、簡易編集装置１２、編集装置１３、およびサーバ１４から構成され、編集装置１３およびサーバ１４は、例えば、インターネットなどの通信網１５を介して互いに接続されている。
【００４２】
撮影装置１１は、被写体を撮影して得られた画像データを圧縮（符号化）し、さらに、圧縮された画像データを複数の画像データに分割する。そして、撮影装置１１は、分割した画像データのそれぞれを、撮影装置１１に装着されている記録媒体２１、および記録媒体２２−１乃至記録媒体２２−３に記録する。
【００４３】
このとき、撮影装置１１は、分割した画像データのうち、比較的解像度の低い画像データ（以下、プロキシデータとも称する）を記録媒体２１に供給して記録させ、プロキシデータとともに伸張（復号）することにより、より解像度の高い画像を再生することができる画像データを記録媒体２２−１乃至記録媒体２２−３に供給して記録させる。
【００４４】
なお、以下、記録媒体２２−１乃至記録媒体２２−３のそれぞれを個々に区別する必要のない場合、単に記録媒体２２と称する。
【００４５】
撮影装置１１による撮影が終了して、記録媒体２１および記録媒体２２に画像データが記録されると、プロキシデータが記録されている記録媒体２１は、撮影装置１１から外されて、撮影した画像の簡易的な編集（簡易編集）を行うための簡易編集装置１２に装着される。
【００４６】
簡易編集装置１２は、記録媒体２１が装着されると、記録媒体２１から低解像度のプロキシデータを読み込んで画像の簡易編集を行う。ここで、簡易編集とは、最終的な画像を作るのではなく、撮影された画像中の特定の部分（シーン）の開始点（開始時刻）および終了点（終了時刻）である編集点を抽出（選択）することをいう。
【００４７】
簡易編集装置１２は、簡易編集が終了すると、編集されたプロキシデータを記録媒体２１に供給して記録させる（プロキシデータを上書きする）。
【００４８】
簡易編集装置１２における簡易編集が終了すると、簡易編集装置１２に装着された記録媒体２１、および撮影装置１１に装着された記録媒体２２は、それぞれ簡易編集装置１２および撮影装置１１から外されて、編集装置１３に接続されている読取装置２３に装着される。なお、簡易編集装置１２と、編集装置１３とを通信網１５を介して接続し、簡易編集装置１２が編集されたプロキシデータを、通信網１５を介して編集装置１３に送信するようにしてもよい。
【００４９】
読取装置２３に記録媒体２１および記録媒体２２が装着されると、編集装置１３は、読取装置２３を介して記録媒体２１および記録媒体２２から画像データを読み込んで、読み込んだ画像データを基に再生される画像を用いて編集を行う。
【００５０】
編集された画像の画像データは、通信網１５を介してサーバ１４に送信され、一旦、サーバ１４に記録される。サーバ１４は記録している編集済みの画像データを、通信網１５を介して図示せぬ放送局等に送信する。
【００５１】
図２は、図１の撮影装置１１の外観を示す図である。
【００５２】
撮影装置１１は、例えば、高解像度の画像を撮影するデジタルビデオカメラから構成され、撮影装置１１には、記録モード設定スイッチ５１が設けられている。撮影者は、この記録モード設定スイッチ５１を操作することにより、撮影装置１１にＳＤ（Standard Definition）画像などの標準的な解像度の画像を撮影させるか、またはＨＤ（High Definition）画像などのより解像度の高い画像を撮影させるかを設定することができる。
【００５３】
また、撮影装置１１に装着される記録媒体２１および記録媒体２２は、例えば、USB（Universal Serial Bus）メモリなどのフラッシュメモリ、フロッピー（登録商標）ディスクなどの磁気ディスク、光ディスク、光磁気ディスクなどから構成される。
【００５４】
ところで、記録媒体の記録速度は最大で400Mbps程度であるが、例えば、撮影装置１１により、RGB（赤、緑、青）のそれぞれの成分が10bitで表わされ、横4096画素、縦2048画素である画像を24frame/sで撮影した場合、撮影された画像の画像データのビットレートは約6.04（≒4096×2048×3×10×24）Gbpsとなり、記録媒体の記録速度よりも速くなってしまう。
【００５５】
そこで、撮影装置１１は、撮影により得られた画像データを分割して、複数の記録媒体２１および記録媒体２２に記録することにより、記録媒体１つ当たりの画像データを記録するために必要な記録速度を下げることができ、画像データのビットレートが記録媒体の記録速度よりも速い場合においても、画像データをバッファリングすることなく記録媒体に記録することができる。
【００５６】
図３は、図１の簡易編集装置１２の外観を示す図である。
【００５７】
簡易編集装置１２は、例えば、パーソナルコンピュータなどから構成され、簡易編集装置１２には、プロキシデータが記録されている記録媒体２１を挿入するための図示せぬスロットが設けられている。簡易編集装置１２は、装着された記録媒体２１からプロキシデータを読み込んで、簡易編集を行う。
【００５８】
図４は、図１の編集装置１３および読取装置２３の外観を示す図である。
【００５９】
編集装置１３および読取装置２３は、例えば、PCI Express（Peripheral Component Interconnect Express）ケーブルなどのケーブル７１により相互に接続されている。読取装置２３には、記録媒体を挿入するための複数のスロットが設けられている。これらのスロットに記録媒体２１および記録媒体２２が装着されると、編集装置１３は、記録媒体２１および記録媒体２２から画像データを読み込んで、高解像度の画像の編集を行う。
【００６０】
次に、図５乃至図１５を参照して、撮影装置１１の構成および動作について説明する。
【００６１】
図５は、撮影装置１１の構成例を示すブロック図である。
【００６２】
撮影装置１１は、記録モード設定スイッチ５１、撮像部１０１、符号化部１０２、およびプロキシ抽出部１０３から構成される。
【００６３】
撮像部１０１は、被写体を撮像して（画像をキャプチャして）、これにより得られた画像データを符号化部１０２に供給する。
【００６４】
記録モード設定スイッチ５１は、撮影者の操作に応じて、撮影した画像を記録する記録モードに、ＳＤ画像を記録するＳＤモード、またはＨＤ画像を記録するＨＤモードを設定する。
【００６５】
符号化部１０２は、記録モード設定スイッチ５１が設定した記録モードにしたがって、撮像部１０１から供給された画像データを、JPEG（Joint Photographic Experts Group）2000方式により符号化（階層符号化）する。また、符号化部１０２は、符号化された画像データをプロキシ抽出部１０３に供給する。
【００６６】
プロキシ抽出部１０３は、符号化部１０２から供給された、符号化された画像データから、最下位の階層であるレベル０の画像データを抽出する。そして、プロキシ抽出部１０３は、抽出したレベル０の画像データを、プロキシデータとして記録媒体２１に供給して記録させる。
【００６７】
また、プロキシ抽出部１０３は、符号化部１０２から供給された画像データから、最下位の階層よりも上位の階層の画像データを抽出し、抽出した画像データを記録媒体２２に供給して記録させる。
【００６８】
プロキシ抽出部１０３は、ヘッダ抽出部１２１、SOT（Start of tile）抽出部１２２、画像抽出部１２３、EOC（End of codestream）抽出部１２４、バッファ１２５、SOT変更部１２６、グループＩＤ（Identification）生成部１２７、アイテムＩＤ生成部１２８、結合部１２９、画像抽出部１３０−１乃至画像抽出部１３０−４、および分割部１３１から構成される。
【００６９】
符号化部１０２からプロキシ抽出部１０３に供給された画像データは、プロキシ抽出部１０３のヘッダ抽出部１２１、SOT抽出部１２２、画像抽出部１２３、EOC抽出部１２４、および画像抽出部１３０−１乃至画像抽出部１３０−４のそれぞれに供給される。
【００７０】
ヘッダ抽出部１２１は、符号化部１０２から供給された画像データから、ヘッダを抽出して結合部１２９に供給する。
【００７１】
SOT抽出部１２２は、符号化部１０２から供給された画像データから、画像データとしてのコードストリームにおいて、タイル内に含まれる画像情報（タイルの画像データ）の開始位置を示す情報や、タイル全体の画像データの大きさ（データ量）を示すサイズ情報が含まれるSOTを抽出してSOT変更部１２６に供給する。
【００７２】
ここで、タイルとは、撮影された画像上における一部分の画像をいう。JPEG2000方式においては、符号化（圧縮）する画像を複数の小さな画像（タイル）に分割して、分割された複数のタイルのそれぞれを別々に符号化することができる。なお、以下では、符号化時におけるタイルの枚数は１枚であるとして説明を続ける。
【００７３】
画像抽出部１２３は、符号化部１０２から供給された画像データから、最下位の階層であるレベル０の画像データを抽出してバッファ１２５に供給する。
【００７４】
EOC抽出部１２４は、符号化部１０２から供給された画像データから、画像データとしてのコードストリームの終了位置を示すEOCを抽出して結合部１２９に供給する。
【００７５】
バッファ１２５は、画像抽出部１２３から供給されたレベル０の画像データを一時的に記憶し、記憶している画像データを結合部１２９に供給する。また、バッファ１２５は、画像抽出部１２３から供給されたレベル０の画像データの大きさ（データ量）を計測（カウント）し、レベル０の画像データの大きさを示す情報をSOT変更部１２６に供給する。
【００７６】
SOT変更部１２６は、バッファ１２５からのレベル０の画像データの大きさを示す情報に基づいて、SOT抽出部１２２からのSOTに含まれる、サイズ情報により示されるタイル全体の画像データの大きさが、レベル０の画像データの大きさとなるようにSOTを変更する（書き換える）。SOT変更部１２６は、変更されたSOTを結合部１２９に供給する。
【００７７】
グループＩＤ生成部１２７は、１つの画像データが分割されて記録される記録媒体２１、および記録媒体２２−１乃至記録媒体２２−３からなる１つのグループを識別するためのグループＩＤを生成して、アイテムＩＤ生成部１２８および分割部１３１に供給する。
【００７８】
アイテムＩＤ生成部１２８は、記録媒体２１を識別するためのアイテムＩＤを生成し、生成したアイテムＩＤをグループＩＤ生成部１２７から供給されたグループＩＤに付加して結合部１２９に供給する。
【００７９】
結合部１２９は、ヘッダ抽出部１２１、バッファ１２５、SOT変更部１２６、EOC抽出部１２４、およびアイテムＩＤ生成部１２８から供給された、ヘッダ、レベル０の画像データ、SOT、EOC、グループＩＤ、およびアイテムＩＤを基にプロキシデータを生成して、生成したプロキシデータを記録媒体２１に供給する。
【００８０】
画像抽出部１３０−１は、符号化部１０２から供給された画像データから、最下位の階層より１つ上位の階層であるレベル１の画像データを抽出して分割部１３１に供給する。画像抽出部１３０−２は、符号化部１０２から供給された画像データから、最下位の階層より２つ上位の階層であるレベル２の画像データを抽出して分割部１３１に供給する。
【００８１】
画像抽出部１３０−３は、符号化部１０２から供給された画像データから、最下位の階層より３つ上位の階層であるレベル３の画像データを抽出して分割部１３１に供給する。画像抽出部１３０−４は、符号化部１０２から供給された画像データから、最下位の階層より４つ上位の階層であるレベル４の画像データを抽出して分割部１３１に供給する。
【００８２】
なお、以下、画像抽出部１３０−１乃至画像抽出部１３０−４のそれぞれを個々に区別する必要のない場合、単に画像抽出部１３０と称する。
【００８３】
分割部１３１は、画像抽出部１３０から供給された画像データを分割して、分割された画像データを記録媒体２２−１乃至記録媒体２２−３のそれぞれに供給して記録させる。
【００８４】
画像データを分割する分割部１３１は、より詳細には、図６に示すように構成される。
【００８５】
分割部１３１は、より詳細には、バッファ１６１−１乃至バッファ１６１−４、分割部１６２−１乃至分割部１６２−４、結合部１６３−１乃至結合部１６３−４、アイテムＩＤ生成部１６４−１乃至アイテムＩＤ生成部１６４−３、および結合部１６５−１乃至結合部１６５−３から構成される。
【００８６】
バッファ１６１−１乃至バッファ１６１−４のそれぞれは、画像抽出部１３０−１乃至画像抽出部１３０−４のそれぞれから供給された、レベル１の画像データ乃至レベル４の画像データのそれぞれを一時的に記憶する。
【００８７】
また、バッファ１６１−１乃至バッファ１６１−４のそれぞれは、画像抽出部１３０−１乃至画像抽出部１３０−４のそれぞれから供給された、レベル１の画像データ乃至レベル４の画像データのそれぞれの大きさ（データ量）を計測し、計測されたレベル１の画像データ乃至レベル４の画像データのそれぞれの大きさを示すサイズ情報を、結合部１６３−１乃至結合部１６３−４のそれぞれに供給する。なお、以下、バッファ１６１−１乃至バッファ１６１−４のそれぞれを個々に区別する必要のない場合、単にバッファ１６１と称する。
【００８８】
分割部１６２−１乃至分割部１６２−４のそれぞれは、バッファ１６１−１乃至バッファ１６１−４のそれぞれに記憶されている画像データを、１バイトを単位とする複数の画像データに分割する。分割部１６２−１乃至分割部１６２−４のそれぞれは、分割された１バイトの画像データのそれぞれを結合部１６３−１乃至結合部１６３−４のそれぞれに供給する。
【００８９】
結合部１６３−１乃至結合部１６３−４のそれぞれは、分割部１６２−１乃至分割部１６２−４のそれぞれから供給された１バイトの画像データを、結合部１６５−１乃至結合部１６５−３のそれぞれに順番に供給する。このとき、結合部１６３−１乃至結合部１６３−４のそれぞれは、結合部１６５−１乃至結合部１６５−３のそれぞれに最初に供給される画像データの先頭にサイズ情報を付加する。
【００９０】
なお、以下、分割部１６２−１乃至分割部１６２−４のそれぞれを個々に区別する必要のない場合、単に分割部１６２と称する。また、以下、結合部１６３−１乃至結合部１６３−４のそれぞれを個々に区別する必要のない場合、単に結合部１６３と称する。
【００９１】
アイテムＩＤ生成部１６４−１乃至アイテムＩＤ生成部１６４−３のそれぞれは、記録媒体２２−１乃至記録媒体２２−３のそれぞれを識別するためのアイテムＩＤを生成し、生成したそれぞれのアイテムＩＤをグループＩＤ生成部１２７（図５）から供給されたグループＩＤに付加して結合部１６５−１乃至結合部１６５−３のそれぞれに供給する。
【００９２】
結合部１６５−１乃至結合部１６５−３のそれぞれは、結合部１６３から供給された画像データに、アイテムＩＤ生成部１６４−１乃至アイテムＩＤ生成部１６４−３のそれぞれから供給されたグループＩＤおよびアイテムＩＤを付加して、記録媒体２２−１乃至記録媒体２２−３のそれぞれに供給する。
【００９３】
なお、以下、アイテムＩＤ生成部１６４−１乃至アイテムＩＤ生成部１６４−３のそれぞれを個々に区別する必要のない場合、単にアイテムＩＤ生成部１６４と称する。また、以下、結合部１６５−１乃至結合部１６５−３のそれぞれを個々に区別する必要のない場合、単に結合部１６５と称する。
【００９４】
次に、図７のフローチャートを参照して、撮影装置１１による撮影処理について説明する。この撮影処理は、撮影者が撮影装置１１を操作して、被写体の撮影を指示すると開始される。
【００９５】
ステップＳ１１において、撮像部１０１は、被写体の画像を撮像し、撮像により得られた画像データを符号化部１０２に供給する。
【００９６】
ステップＳ１２において、符号化部１０２は、記録モード設定スイッチ５１が設定した記録モードにしたがって、撮像部１０１から供給された画像データを、JPEG2000方式により符号化し、画像データを１／４の大きさ（データ量）に圧縮する。また、符号化部１０２は、符号化された画像データをプロキシ抽出部１０３に供給する。
【００９７】
記録モードの設定がＨＤモードである場合、符号化部１０２は、例えば、図８Ａに示すように、記録する画像のアスペクト比が１６：９のＨＤ画像となるように、画像データを符号化する。また、記録モードの設定がＳＤモードである場合、符号化部１０２は、例えば、図８Ｂに示すように、記録する画像のアスペクト比が４：３のＳＤ画像となるように、画像データを符号化する。
【００９８】
また、ＨＤモードにしたがって画像を符号化（階層符号化）する場合、符号化部１０２は、例えば、図９Ａに示すように周波数分解を行い、画像データを５階層のデータに階層化する。撮影された画像は、まず、ローパスフィルタおよびハイパスフィルタにより４つの帯域１９１−１乃至帯域１９１−４に分解される。さらに、帯域１９１−４は、帯域１９２−１乃至帯域１９２−４に分解される。同様に、帯域１９２−４は、帯域１９３−１乃至帯域１９３−４に分解され、帯域１９３−４は、さらに、帯域１９４−１乃至帯域１９４−４に分解される。
【００９９】
そして、符号化された画像データのうち、帯域１９４−４に対応する画像データが、復号に欠くことのできないレベル０の画像データとされ、帯域１９４−１乃至帯域１９４−３に対応する画像データがレベル１の画像データとされる。また、帯域１９３−１乃至帯域１９３−３に対応する画像データがレベル２の画像データとされ、帯域１９２−１乃至帯域１９２−３に対応する画像データがレベル３の画像データとされ、帯域１９１−１乃至帯域１９１−３に対応する画像データがレベル４の画像データとされる。
【０１００】
ここで、レベル０の画像データを復号して得られる画像は、最も解像度が低い画像とされ、レベル０の画像データおよびレベル１の画像データを復号して得られる画像は、レベル０を復号して得られる画像よりも解像度が高い画像とされる。また、レベル０の画像データ乃至レベル２の画像データを復号して得られる画像は、レベル０の画像データおよびレベル１の画像データを復号して得られる画像よりもさらに解像度が高い画像とされる。
【０１０１】
同様に、レベル０の画像データ乃至レベル３の画像データを復号して得られる画像は、レベル０の画像データ乃至レベル２の画像データを復号して得られる画像よりも解像度が高い画像とされ、レベル０の画像データ乃至レベル４の画像データを復号して得られる画像は、最も解像度の高い画像とされる。
【０１０２】
また、ＳＤモードにしたがって画像を符号化（階層符号化）する場合、符号化部１０２は、例えば、図９Ｂに示すように周波数分解を行い、画像データを３階層のデータに階層化する。撮影された画像は、まず、ローパスフィルタおよびハイパスフィルタにより４つの帯域２０１−１乃至帯域２０１−４に分解される。さらに、帯域２０１−４は、帯域２０２−１乃至帯域２０２−４に分解される。
【０１０３】
そして、符号化された画像データのうち、帯域２０２−４に対応する画像データが、復号に欠くことのできないレベル０の画像データとされ、帯域２０２−１乃至帯域２０２−３に対応する画像データがレベル１の画像データとされ、帯域２０１−１乃至帯域２０１−３に対応する画像データがレベル２の画像データとされる。
【０１０４】
さらに、ＨＤモードにしたがって画像データを符号化した場合、符号化部１０２からプロキシ抽出部１０３には、符号化された画像データとして例えば、図１０に示す画像データが供給される。
【０１０５】
図１０の例においては、画像データの先頭（図中、上側）にヘッダが設けられ、ヘッダに続いてSOTが配置されている。SOTには、上述したように、タイル内に含まれる画像情報の開始位置を示す情報、タイル全体の画像データの大きさを示すサイズ情報が含まれている。
【０１０６】
そして、SOTに続いて、SOTにより示されるタイルの画像の画像データとして、レベル０の画像データ乃至レベル４の画像データが、レベル０の画像データ乃至レベル４の画像データの順に並べられて配置されており、最後に画像データとしてのコードストリームの終了位置を示すEOCが配置されている。
【０１０７】
このように、符号化部１０２は、記録モードにしたがって、記録する画像の画素数および階層の数を変化させて画像データを符号化する。なお、符号化部１０２が画像データを符号化する方式は、JPEG2000方式に限らず、その他、MPEG（Moving Picture Experts Group phase）2などの方式により符号化するようにしてもよい。
【０１０８】
図７のフローチャートの説明に戻り、ステップＳ１３において、プロキシ抽出部１０３は、プロキシデータ生成処理を行う。なお、プロキシデータ生成処理の詳細は後述するが、プロキシデータ生成処理において、プロキシ抽出部１０３は、符号化部１０２から供給された画像データから、レベル０の画像データを抽出してプロキシデータを生成する。また、プロキシ抽出部１０３は、生成したプロキシデータを記録媒体２１に供給して記録させる。
【０１０９】
ステップＳ１４において、プロキシ抽出部１０３は、画像データ生成処理を行い、撮影処理は終了する。なお、画像データ生成処理の詳細は後述するが、画像データ生成処理において、プロキシ抽出部１０３は、符号化部１０２から供給された画像データから、レベル０よりも上位の階層の画像データ（例えば、レベル１の画像データ乃至レベル４の画像データ）を抽出する。そして、プロキシ抽出部１０３は、抽出した画像データを分割して
記録媒体２２−１乃至記録媒体２２−３のそれぞれに供給し、供給した画像データを記録させる。
【０１１０】
このようにして、撮影装置１１は、被写体の画像を撮影し、撮影により得られた画像データのうち、復号に欠くことのできない最下位の階層の画像データを記録媒体２１に供給して記録させ、最下位よりも上位の階層の画像データ（符号化された画像データのうち、レベル０の画像データを除いた画像データ）を記録媒体２２に供給して記録させる。
【０１１１】
このように、画像データを分割して複数の記録媒体に記録することによって、画像データのビットレートが記録媒体の記録速度よりも速い場合においても、画像データをバッファリングすることなく画像データを記録媒体に記録することができる。
【０１１２】
次に、図１１のフローチャートを参照して、図７のステップＳ１３の処理に対応するプロキシデータ生成処理について説明する。
【０１１３】
ステップＳ４１において、ヘッダ抽出部１２１は、符号化部１０２から供給された画像データから、ヘッダを抽出して結合部１２９に供給する。
【０１１４】
ステップＳ４２において、SOT抽出部１２２は、符号化部１０２から供給された画像データからSOTを抽出してSOT変更部１２６に供給する。
【０１１５】
ステップＳ４３において、画像抽出部１２３は、符号化部１０２から供給された画像データからレベル０の画像データを抽出してバッファ１２５に供給する。バッファ１２５は、画像抽出部１２３から供給されたレベル０の画像データを一時的に記憶する。また、バッファ１２５は、画像抽出部１２３から供給されたレベル０の画像データの大きさを計測し、レベル０の画像データの大きさを示す情報を生成してSOT変更部１２６に供給する。
【０１１６】
ステップＳ４４において、SOT変更部１２６は、バッファ１２５からのレベル０の画像データの大きさを示す情報に基づいて、SOT抽出部１２２から供給されたSOTのサイズ情報により示されるタイル全体の画像データの大きさが、レベル０の画像データの大きさ（データ量）となるようにSOTを変更する。
【０１１７】
SOT変更部１２６はSOTを変更すると、変更したSOTを結合部１２９に供給する。また、SOTが変更されると、バッファ１２５は記憶しているレベル０の画像データを結合部１２９に供給する。
【０１１８】
ステップＳ４５において、EOC抽出部１２４は、符号化部１０２から供給された画像データからEOCを抽出して結合部１２９に供給する。
【０１１９】
ステップＳ４６において、グループＩＤ生成部１２７は、記録媒体２１および記録媒体２２からなる記録媒体のグループを識別するためのグループＩＤを生成し、生成したグループＩＤをアイテムＩＤ生成部１２８および分割部１３１に供給する。
【０１２０】
これにより、例えば、図１２に示すような64bit（8byte）のグループＩＤが生成される。図１２に示すグループＩＤの先頭（図中、左側）には、撮影装置１１に固有の16bitのシリアル番号が配置されている。そしてシリアル番号に続いて画像データの撮影開始日時（撮影年月日および撮影開始時刻）を示す12bitの年、4bitの月、5bitの日、5bitの時、6bitの分、6bitの秒、および5bitのフレームが順番に配置される。
【０１２１】
ここで、フレームは、例えば、１秒間に３０フレーム撮影される場合、１乃至３０のいずれかの数とされる。例えば、撮影開始時刻の秒以下の桁の値が0.0秒以上0.033秒以下のとき、フレームを示す数は１とされる。また、グループＩＤには、フレームに続いて5bitの予備が配置される。この予備は、任意のデータとされる。
【０１２２】
図１１のフローチャートの説明に戻り、グループＩＤが生成されると、ステップＳ４７において、アイテムＩＤ生成部１２８は、記録媒体２１を識別するためのアイテムＩＤを生成し、生成したアイテムＩＤをグループＩＤ生成部１２７から供給されたグループＩＤに付加して結合部１２９に供給する。例えば、記録媒体２１を識別するためのアイテムＩＤは、“１”とされる。
【０１２３】
ステップＳ４８において、結合部１２９は、ヘッダ抽出部１２１、バッファ１２５、SOT変更部１２６、EOC抽出部１２４、およびアイテムＩＤ生成部１２８から供給された、ヘッダ、レベル０の画像データ、SOT、EOC、グループＩＤ、およびアイテムＩＤを基にプロキシデータを生成して、生成したプロキシデータを記録媒体２１に供給する。
【０１２４】
Ｓ４９において、記録媒体２１は、結合部１２９から供給されたプロキシデータを記録して、処理は図７のステップＳ１４に進む。
【０１２５】
これにより、記録媒体２１には、例えば、図１３に示すプロキシデータが記録される。
【０１２６】
図中、中央に示すように記録媒体２１には、撮影が終了するごとに生成される、プロキシデータとしてのファイルＡ乃至ファイルＣのそれぞれが記録されている。例えば、ファイルＡは、図中、右側に示すように、ファイルＡの先頭（図中、上側）にグループＩＤおよびアイテムＩＤが配置されている。そして、グループＩＤおよびアイテムＩＤに続いて、ファイルＡに含まれている編集点、すなわち、ファイルＡの画像中の特定の部分の開始点または終了点を示す情報（後述するStart timeまたはEnd time）の開始位置を示す“Meta data pointer”が配置される。なお、図１３の例においては、ファイルＡには、編集点を示す情報は含まれていないので、Meta data pointerの値は初期値であるMeta data pointer＝０とされている。
【０１２７】
Meta data pointerの次には、１フレーム分の画像データとしてのヘッダ、SOT、レベル０の画像データ、およびEOCが順番に配置されている。さらに、EOCに続いて、次のフレームのヘッダ、SOT、レベル０の画像データ、およびEOCが配置され、撮影された各フレームのヘッダ、SOT、レベル０の画像データ、およびEOCが順次並べられて配置される。
【０１２８】
このようにして、プロキシ抽出部１０３は、符号化された画像データからレベル０の画像データを抽出してプロキシデータを生成し、記録媒体２１に記録させる。
【０１２９】
このように、符号化された画像データからレベル０の画像データを抽出してプロキシデータを生成し、１つの記録媒体２１に記録することで、その記録媒体２１に記録されたプロキシデータに基づく、比較的解像度の低い画像を用いて撮影された画像の簡易編集を行ったり、撮影された画像を再生して確認したりすることができる。
【０１３０】
したがって、例えば、複数の記録媒体に１つの画像データを記録した場合においても、複数の記録媒体のうちの、プロキシデータが記録された１つの記録媒体２１を、図１に示した簡易編集装置１２に装着することで、より簡単に低解像度の画像の簡易編集などを行うことができる。
【０１３１】
また、画像データに含まれているSOTのサイズ情報により示される画像データの大きさと、SOTおよびEOCの間に配置される画像データの大きさとが異なる場合、その画像データは再生することができない。図１３に示したように、記録媒体２１には階層符号化により符号化された画像データのうち、レベル０の画像データだけが抽出されてSOTおよびEOCの間に配置されるが、プロキシデータに含まれるSOTのサイズ情報を、タイル全体の画像データの大きさ、すなわち、レベル０の画像データ乃至レベル４の画像データの大きさから、レベル０の画像データの大きさに変更することによって、プロキシデータを再生することができる。
【０１３２】
さらに、プロキシデータとされる画像データは、階層符号化された画像データのうちの、最下位の階層の画像データ（レベル０の画像データ）であり、このレベル０の画像データを基に低解像度の画像を表示することができるので、記録媒体に解像度の異なる同じ画像の画像データをいちいち記録する必要がない。
【０１３３】
なお、以上においては、レベル０の画像データを、比較的解像度の低い画像を再生するためのプロキシデータとすると説明したが、例えば、レベル０の画像データおよびレベル１の画像データをプロキシデータとするようにしてもよい。
【０１３４】
次に、図１４のフローチャートを参照して、図７のステップＳ１４の処理に対応する、画像データ生成処理について説明する。
【０１３５】
符号化部１０２から画像抽出部１３０に符号化された画像データが供給されると、ステップＳ８１において、画像抽出部１３０は、符号化部１０２から供給された画像データから、最下位の階層よりも上位の階層（レベル）の画像データを抽出してバッファ１６１に供給する。
【０１３６】
より具体的には、画像抽出部１３０−１乃至画像抽出部１３０−４のそれぞれは、符号化部１０２から供給された画像データから、レベル１の画像データ乃至レベル４の画像データのそれぞれを抽出して、バッファ１６１−１乃至バッファ１６１−４のそれぞれに供給する。バッファ１６１−１乃至バッファ１６１−４のそれぞれは、供給されたレベル１の画像データ乃至レベル４の画像データのそれぞれを一時的に記憶する。
【０１３７】
また、バッファ１６１−１乃至バッファ１６１−４のそれぞれは、画像抽出部１３０−１乃至画像抽出部１３０−４のそれぞれから供給された、レベル１の画像データ乃至レベル４の画像データのそれぞれの大きさ（データ量）を計測し、計測されたレベル１の画像データ乃至レベル４の画像データのそれぞれの大きさを示すサイズ情報を生成して、結合部１６３−１乃至結合部１６３−４のそれぞれに供給する。
【０１３８】
ステップＳ８２において、分割部１６２−１乃至分割部１６２−４のそれぞれは、バッファ１６１−１乃至バッファ１６１−４のそれぞれに記憶されている画像データを、１バイトを単位とする複数の画像データに分割し、分割された１バイトの画像データのそれぞれを結合部１６３−１乃至結合部１６３−４のそれぞれに供給する。
【０１３９】
ステップＳ８３において、結合部１６３−１乃至結合部１６３−４のそれぞれは、分割部１６２−１乃至分割部１６２−４のそれぞれから供給された１バイトの画像データのうち、結合部１６５−１乃至結合部１６５−３のそれぞれに供給する画像データの先頭に、バッファ１６１−１乃至バッファ１６１−４のそれぞれから供給されたサイズ情報を付加して、サイズ情報が付加された画像データのそれぞれを、結合部１６５−１乃至結合部１６５−３のそれぞれに供給する。
【０１４０】
例えば、結合部１６３は、分割部１６２から供給された画像データのうち、最初の１バイトの画像データの先頭にサイズ情報を付加して結合部１６５−１に供給する。同様に、結合部１６３は、分割部１６２から供給された次の１バイトの画像データの先頭にサイズ情報を付加して結合部１６５−２に供給し、さらに、その次の１バイトの画像データの先頭にサイズ情報を付加して結合部１６５−３に供給する。
【０１４１】
そして、結合部１６３は、次の１バイトの画像データを結合部１６５−１に供給し、さらに、その次の１バイトの画像データを結合部１６５−２に供給して、画像データを１バイトずつ、結合部１６５−１乃至結合部１６５−３に循環的に供給する。
【０１４２】
ステップＳ８４において、アイテムＩＤ生成部１６４−１乃至アイテムＩＤ生成部１６４−３のそれぞれは、記録媒体２２−１乃至記録媒体２２−３のそれぞれを識別するためのアイテムＩＤを生成し、生成したそれぞれのアイテムＩＤをグループＩＤ生成部１２７（図５）から供給されたグループＩＤに付加して結合部１６５−１乃至結合部１６５−３のそれぞれに供給する。
【０１４３】
ステップＳ８５において、結合部１６５−１乃至結合部１６５−３のそれぞれは、結合部１６３から供給された画像データに、アイテムＩＤ生成部１６４−１乃至アイテムＩＤ生成部１６４−３のそれぞれから供給されたグループＩＤおよびアイテムＩＤを付加して、記録媒体２２−１乃至記録媒体２２−３のそれぞれに供給する。
【０１４４】
ステップＳ８６において、記録媒体２２−１乃至記録媒体２２−３のそれぞれは、結合部１６５から供給された画像データのそれぞれを記録して処理は終了する。
【０１４５】
これにより、記録媒体２２には、例えば、図１５に示す画像データが記録される。
【０１４６】
図１５に示す画像データの先頭（図中、上側）には、グループＩＤおよびアイテムＩＤが配置され、続いてレベル１の画像データの大きさ（データ量）を示すサイズ情報、および分割されたレベル１の画像データが配置されている。そして、レベル１の画像データの次には、レベル２の画像データの大きさを示すサイズ情報、分割されたレベル２の画像データ、レベル３の画像データの大きさを示すサイズ情報、分割されたレベル３の画像データ、レベル４の画像データの大きさを示すサイズ情報、および分割されたレベル４の画像データが順番に並べられて配置されている。
【０１４７】
このように、各記録媒体２２には、インターリーブされたレベル１の画像データ乃至レベル４の画像データの他に、レベル１の画像データ乃至レベル４の画像データのそれぞれのサイズ情報が含まれている。なお、各記録媒体２２に記録されるサイズ情報のそれぞれは、記録媒体２２のそれぞれに記録されているレベル１の画像データ乃至レベル４の画像データのそれぞれの大きさではなく、バッファ１６１に記憶された画像データのそれぞれの大きさとされる。
【０１４８】
このようにして、撮影装置１１は、レベル１の画像データ乃至レベル４の画像データのそれぞれを１バイトずつインターリーブして記録媒体２２−１乃至記録媒体２２−３のそれぞれに記録する。
【０１４９】
このように、画像データをインターリーブして記録媒体２２のそれぞれに記録することで、１つの記録媒体に１つのレベルの画像データ（例えば、レベル１の画像データ）を記録する場合よりも、より効率よく画像データを記録することができる。
【０１５０】
すなわち、撮影する画像によって、各レベルの画像データのデータ量は異なるので、１つの記録媒体に１つのレベルの画像データを記録する場合、データ量の大きいレベルの画像データを記録する記録媒体は、記録容量が足りなくなってしまったり、他の記録媒体には画像データが記録しきれない（記録容量が不足した）状態であるにもかかわらず、データ量の小さいレベルの画像データを記録する記録媒体には、殆ど画像データが記録されていなかったりして効率が悪い。
【０１５１】
また、１つの記録媒体に１つのレベルの画像データを記録する場合、階層符号化された画像データの階層の数を変化させるときには、記録媒体の数も変化させなければならない。
【０１５２】
これに対して、画像データをインターリーブして記録媒体２２のそれぞれに記録する場合には、各記録媒体２２には、それぞれ同じデータ量の画像データが記録されるため、より効率よく画像データを記録することができる。また、階層の数が変化しても記録媒体２２の数を変化させる必要はない。
【０１５３】
さらに、記録媒体２１および記録媒体２２のそれぞれに記録される画像データには、グループＩＤおよびアイテムＩＤが含まれているので、これらの記録媒体２１および記録媒体２２を、他の装置（例えば、図１の編集装置１３）に挿入（装着）した場合においても、挿入された複数の記録媒体が、１つのグループの記録媒体のそれぞれであるか否かを判別することができ、また、複数の記録媒体のそれぞれを個々に識別することができるので、どの記録媒体に画像データのどの部分が記録されているかを簡単に知ることができる。
【０１５４】
ところで、撮影装置１１により画像が撮影されると、記録媒体２１には、プロキシデータが記録される。例えば、撮影が終了すると、記録媒体２１はその場（撮影現場）で撮影装置１１から外されて、簡易編集装置１２（図１）に装着され、プロキシデータを基に簡易編集が行われる。以下、図１６乃至図２６を参照して、簡易編集装置１２の構成および動作について説明する。
【０１５５】
図１６は、簡易編集装置１２の構成例を示すブロック図である。
【０１５６】
CPU（Central Processing Unit）３０１は、ROM（Read Only Memory）３０２、または記録部３０８に記録されているプログラムに従って各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０１５７】
CPU３０１にはまた、バス３０４を介して入出力インターフェース３０５が接続されている。入出力インターフェース３０５には、マウス３２１、キーボード３２２、マイクロホンなどよりなる入力部３０６、ディスプレイなどの表示部３２３やスピーカなどよりなる出力部３０７が接続されている。CPU３０１は、マウス３２１、キーボード３２２などの入力部３０６から入力される指令に対応して各種の処理を実行する。そして、CPU３０１は、処理の結果を出力部３０７に出力する。
【０１５８】
入出力インターフェース３０５に接続されている記録部３０８は、例えばハードディスクからなり、CPU３０１が実行するプログラムや各種のデータを記録する。通信部３０９は、インターネットやローカルエリアネットワークなどの通信網１５（図１）を介して外部の装置と通信する。
【０１５９】
また、通信部３０９を介してプログラムを取得し、記録部３０８に記録してもよい。
【０１６０】
入出力インターフェース３０５に接続されているドライブ３１０は、フラッシュメモリ、磁気ディスク、光ディスク、光磁気ディスクなどの記録媒体２１が装着されたとき、それらを駆動し、そこに記録されているプログラムやデータなどを取得する。取得されたプログラムやデータは、必要に応じて記録部３０８に転送され、記録される。
【０１６１】
図１７は、簡易編集装置１２の機能の構成例を示すブロック図である。
【０１６２】
簡易編集装置１２は、RAM３０３、入力部３０６、表示部３２３、制御部３５１、および表示制御部３５２から構成される。なお、図中、図１６における場合と対応する部分には同一の符号を付してあり、その説明は適宜省略する。
【０１６３】
制御部３５１は、簡易編集装置１２の各部を制御する。制御部３５１は、検出部３６１、設定保持部３６２、読み込み制御部３６３、時間軸設定部３６４、編集処理部３６５、および書き出し制御部３６６から構成される。ここで、検出部３６１乃至書き出し制御部３６６のそれぞれは、相互にデータを授受することが可能とされている。
【０１６４】
検出部３６１は、簡易編集装置１２に記録媒体２１が装着されたか否かを検出する。また、検出部３６１は、画像の簡易編集を行うときに表示部３２３に表示される簡易編集画面上の所定のボタンが操作されたか否かを検出する。
【０１６５】
設定保持部３６２は、簡易編集画面上で画像の簡易編集を行うための各種の設定を保持する。読み込み制御部３６３は、記録媒体２１に記録されているプロキシデータ（画像データ）の読み込みを制御する。
【０１６６】
時間軸設定部３６４は、簡易編集を行うための簡易編集画面上に表示する画像の撮影時刻と、その画像に隣接して表示する画像の撮影時刻との時間間隔を設定する。編集処理部３６５は、簡易編集画面上に表示された画像の簡易編集処理を行う。書き出し制御部３６６は、簡易編集されたプロキシデータの記録媒体２１への書き出しを制御する。
【０１６７】
また、表示制御部３５２は、編集者の操作に応じて、表示部３２３への各種の画像の表示を制御する。
【０１６８】
簡易編集装置１２に記録媒体２１が装着され、編集者によりマウス３２１、キーボード３２２などの入力部３０６が操作されて画像の簡易編集の開始が指示されると、表示部３２３には、例えば、図１８に示す簡易編集画面４０１が表示される。
【０１６９】
簡易編集画面４０１の図中、左下には、プロキシデータとしてのファイルのリストを表示するためのリスト表示領域４１１が設けられている。このリスト表示領域４１１には、プロキシデータとして記録媒体２１に記録されているファイル（ファイル名）のリストが表示され、図１８では、記録媒体２１に記録されているファイルとしてFile-A乃至File-Iが表示されている。
【０１７０】
また、リスト表示領域４１１には、各ファイルを選択するためのカーソル４１２が表示されており、編集者は、入力部３０６を操作することによりカーソル４１２を移動させて、簡易編集を行うファイル（プロキシデータ）を選択することができるようになされている。
【０１７１】
さらに、リスト表示領域４１１の図中、右側にはスクロールバー４１３が表示されており、編集者は入力部３０６を操作することにより、スクロールバー４１３を操作して、リスト表示領域４１１に表示されたファイルのリスト（の画面）を図中、上方向または下方向にスクロールさせることができる。
【０１７２】
簡易編集画面４０１上のスクロールバー４１３の右側には、読み込みボタン４１４が設けられており、読み込みボタン４１４には、文字“読み込み”が表示されている。編集者は、この読み込みボタン４１４を操作（選択）することにより、カーソル４１２により選択されているファイル（プロキシデータ）の画像を、図中、上側に設けられた画像表示領域４１５に表示させることができる。
【０１７３】
図１８の例では、カーソル４１２によりプロキシデータとしてのファイル“File-A”が選択されており、画像表示領域４１５には、“File-A”の画像として、画像４３１−１乃至画像４３１−６が表示されている。ここで、画像４３１−１乃至画像４３１−６のそれぞれは、プロキシデータに基づく１フレーム分の画像であり、所定の時間間隔のフレームの画像とされる。
【０１７４】
また、画像表示領域４１５には、撮影時刻が古い順に（撮影時刻が現在時刻から遠い順に）図中、左側から右側の方向に並べられて表示される。なお、以下、画像４３１−１乃至画像４３１−６のそれぞれを個々に区別する必要のない場合、単に画像４３１と称する。
【０１７５】
さらに、簡易編集画面４０１の図中、中央には、画像表示領域４１５に表示する画像４３１の時間の間隔を設定するための時間軸選択ボタン４１６−１乃至時間軸選択ボタン４１６−４のそれぞれが設けられている。時間軸選択ボタン４１６−１乃至時間軸選択ボタン４１６−４のそれぞれは、画像表示領域４１５に、それぞれ１分ごと、３０秒ごと、１０秒ごと、および１秒ごとの画像４３１を表示させるためのボタンであり、時間軸選択ボタン４１６−１乃至時間軸選択ボタン４１６−４のそれぞれの図中、右側には、それぞれ文字“1min”、“30sec”、“10sec”、および“1sec”が表示されている。
【０１７６】
時間軸選択ボタン４１６−１乃至時間軸選択ボタン４１６−４のうち、選択されている時間軸選択ボタンの中央には、丸が表示される。図１８では、時間軸選択ボタン４１６−１の中央に丸が表示されているので、選択されている時間軸選択ボタンは、時間軸選択ボタン４１６−１となる。
【０１７７】
したがって、この場合、画像表示領域４１５には、それぞれの撮影時刻が１分間隔である画像４３１が表示される。すなわち、画像４３１−１の撮影時刻を基準とすると、画像４３１−２乃至画像４３１−６のそれぞれは、画像４３１−１の１分後乃至５分後に撮影された画像のそれぞれとなる。以下、時間軸選択ボタン４１６−１乃至時間軸選択ボタン４１６−４のそれぞれを個々に区別する必要のない場合、単に時間軸選択ボタン４１６と称する。
【０１７８】
また、画像表示領域４１５には、画像４３１を選択するためのカーソル４１７が表示されており、編集者は、入力部３０６を操作してカーソル４１７を図中、左右方向に移動させて、画像４３１を選択することができる。さらに、編集者は、カーソル４１７を左右方向に移動させることによって、画像表示領域４１５に表示される画像４３１を図中、左右方向にスクロールさせることができる。
【０１７９】
画像表示領域４１５の図中、下側には、スクロールバー４１８が設けられており、編集者は入力部３０６を操作することにより、スクロールバー４１８を操作して、画像表示領域４１５を図中、左右方向にスクロールさせることができる。
【０１８０】
さらに、簡易編集画面４０１の中央には、編集点としての開始点を選択するための開始点設定ボタン４１９、および終了点を選択するための終了点設定ボタン４２０が設けられている。開始点設定ボタン４１９および終了点設定ボタン４２０には、それぞれ文字“開始点設定”および“終了点設定”が表示されている。編集者は、カーソル４１７を移動させて画像４３１を選択し、さらに、入力部３０６を操作して開始点設定ボタン４１９および終了点設定ボタン４２０を選択（操作）することによって、編集点としての開始点および終了点を選択することができる。
【０１８１】
また、開始点設定ボタン４１９または終了点設定ボタン４２０が操作されて、開始点または終了点が選択されると、カーソル４１７により選択された画像４３１の図中、上側には、開始点（を表わす図形）４２１、または終了点（を表わす図形）４２２が表示される。図１８では、開始点４２１および終了点４２２は、それぞれ三角形の図形で表わされている。また、開始点４２１と終了点４２２とは、編集により選択された期間（区間）が分かり易いように、直線により結ばれている。
【０１８２】
さらに、簡易編集画面４０１の図中、右下には簡易編集されたプロキシデータの記録媒体２１への書き出しを行うための書き出しボタン４２３が設けられており、書き出しボタン４２３には、文字“書き出し”が表示されている。編集者が入力部３０６を操作して書き出しボタン４２３を選択（操作）すると、簡易編集装置１２は、簡易編集されたプロキシデータを、記録媒体２１に書き出す。
【０１８３】
次に、図１９のフローチャートを参照して、簡易編集装置１２による検出処理について説明する。
【０１８４】
ステップＳ１２１において、検出部３６１（図１７）は、記録媒体２１が検出されたか否かを判定する。例えば、検出部３６１は、簡易編集装置１２に記録媒体２１が装着された場合、記録媒体２１が検出されたと判定する。
【０１８５】
ステップＳ１２１において、記録媒体２１が検出されていないと判定された場合、ステップＳ１２１に戻り、記録媒体２１が検出されたと判定されるまで、判定の処理が繰り返される。
【０１８６】
一方、ステップＳ１２１において、記録媒体２１が検出されたと判定された場合、ステップＳ１２２に進み、読み込み制御部３６３は、記録媒体２１に記録されているプロキシデータを読み込む。読み込み制御部３６３は、読み込んだプロキシデータをRAM３０３に供給して記憶させる。
【０１８７】
また、読み込み制御部３６３は、RAM３０３に記録されているプロキシデータを参照して、プロキシデータとして記録媒体２１に記録されているファイルのリストを示す情報を生成し、表示制御部３５２を介して表示部３２３に供給する。
【０１８８】
ステップＳ１２３において、表示部３２３は、表示制御部３５２から供給されたファイルのリストを示す情報を基に、簡易編集画面４０１（図１８）のリスト表示領域４１１にファイル名を並べて表示することにより、ファイルのリストを表示して、検出処理は終了する。
【０１８９】
これにより、リスト表示領域４１１には、例えば、図１８に示したように、記録媒体２１に記録されているファイル（のファイル名）としてFile-A乃至File-Iが表示される。
【０１９０】
このようにして、簡易編集装置１２は、簡易編集装置１２に記録媒体２１が装着されると、これを検出して、記録媒体２１に記録されているプロキシデータとしてのファイルのリストを表示する。
【０１９１】
このように、ファイルのリストを表示することによって、編集者は記録媒体２１に記録されているファイル（プロキシデータ）を簡単に選択して表示させることができる。
【０１９２】
次に、図２０のフローチャートを参照して、簡易編集装置１２による読み込み処理について説明する。
【０１９３】
ステップＳ１５１において、読み込み制御部３６３は、読み込みボタン４１４（図１８）が操作されたか否かを判定する。例えば、読み込み制御部３６３は、編集者により、入力部３０６が操作されて、読み込みボタン４１４が操作（選択）され、入力部３０６から読み込み制御部３６３に読み込みボタン４１４が操作された旨の信号が供給された場合、読み込みボタン４１４が操作されたと判定する。
【０１９４】
ステップＳ１５１において、読み込みボタン４１４が操作されていないと判定された場合、ステップＳ１５１に戻り、読み込みボタン４１４が操作されたと判定されるまで、判定の処理が繰り返される。
【０１９５】
一方、ステップＳ１５１において、読み込みボタン４１４が操作されたと判定された場合、ステップＳ１５２に進み、読み込み制御部３６３は、カーソル４１２により選択されているファイル（プロキシデータ）をRAM３０３から読み込む。例えば、図１８に示した例においては、カーソル４１２により“File-A”が選択されているので、読み込み制御部３６３は、RAM３０３から“File-A”を読み込む。
【０１９６】
ステップＳ１５３において、読み込み制御部３６３は、時間軸選択ボタン４１６のうち、選択されている時間軸選択ボタン４１６を検出する。例えば、設定保持部３６２には、選択されている時間軸選択ボタン４１６により示される時間間隔を示す時間軸情報が保持されており、読み込み制御部３６３は、設定保持部３６２が保持している時間軸情報を参照することにより、選択されている時間軸選択ボタン４１６を検出する。
【０１９７】
選択されている時間軸選択ボタン４１６が検出されると、読み込み制御部３６３は選択された時間軸選択ボタン４１６の設定にしたがって、RAM３０３から読み込んだファイルを、表示制御部３５２を介して表示部３２３に供給する。
【０１９８】
例えば、時間軸選択ボタン４１６−１が選択されている場合、画像表示領域４１５に表示する画像４３１は、１分ごとの画像であるので、読み込み制御部３６３は、ファイル（プロキシデータ）の最初のフレームの画像データ、および撮影時刻が最初のフレームの画像データの撮影時刻のｉ分後（但し、ｉ≧１）である画像データを表示部３２３に供給する。
【０１９９】
ステップＳ１５４において、表示部３２３は、表示制御部３５２から供給された画像データを基に、選択されている時間軸選択ボタン４１６の設定にしたがって、画像表示領域４１５に画像４３１を表示させて、読み込み処理を終了する。
【０２００】
これにより、例えば、画像表示領域４１５には、図１８に示した画像４３１−１乃至画像４３１−６のそれぞれが表示される。
【０２０１】
このようにして、簡易編集装置１２は、選択されたファイルを読み込んで、読み込んだファイルに基づく画像を画像表示領域４１５に表示する。
【０２０２】
このように、選択されたファイルに基づく画像を画像表示領域４１５に表示することによって、編集者はより簡単に撮影した画像の簡易編集を行うことができる。なお、より詳細には、選択されたファイルが読み込まれて表示されると、新たなファイルを読み込むための読み込み処理が繰り返し行われる。
【０２０３】
次に、図２１のフローチャートを参照して、簡易編集装置１２による表示更新処理について説明する。
【０２０４】
ステップＳ１８１において、時間軸設定部３６４は、時間軸選択ボタン４１６が操作されたか否かを判定する。例えば、時間軸設定部３６４は、編集者により、入力部３０６が操作されて、時間軸選択ボタン４１６が操作（選択）され、入力部３０６から時間軸設定部３６４に時間軸選択ボタン４１６が操作された旨の信号が供給された場合、時間軸選択ボタン４１６が操作されたと判定する。
【０２０５】
ステップＳ１８１において、時間軸選択ボタン４１６が操作されていないと判定された場合、ステップＳ１８１に戻り、時間軸選択ボタン４１６が操作されたと判定されるまで、判定の処理が繰り返される。
【０２０６】
一方、ステップＳ１８１において、時間軸選択ボタン４１６が操作されたと判定された場合、ステップＳ１８２に進み、時間軸設定部３６４は、操作された時間軸選択ボタン４１６が、画像表示領域４１５に表示する画像４３１の時間間隔を１分とする時間軸選択ボタン４１６−１であるか否かを判定する。
【０２０７】
ステップＳ１８２において、時間間隔を１分とする時間軸選択ボタン４１６−１であると判定された場合、ステップＳ１８３に進み、時間軸設定部３６４は、設定保持部３６２が保持している時間軸情報により示される時間間隔を１分とする。すなわち、時間軸設定部３６４は、時間軸選択ボタン４１６−１以外の時間軸選択ボタン４１６の選択を解除し、時間軸選択ボタン４１６−１を選択する。
【０２０８】
また、読み込み制御部３６３は、選択された時間軸選択ボタン４１６−１の設定にしたがって、カーソル４１２により選択されているファイルの１分間隔の画像データをRAM３０３から読み出し、読み出した画像データを、表示制御部３５２を介して表示部３２３に供給する。表示部３２３は、表示制御部３５２から供給された画像データを基に、画像表示領域４１５に１分間隔の画像４３１を表示させて画像４３１の表示を更新し、表示更新処理は終了する。
【０２０９】
これに対して、ステップＳ１８２において、時間間隔を１分とする時間軸選択ボタン４１６−１でないと判定された場合、ステップＳ１８４に進み、時間軸設定部３６４は、操作された時間軸選択ボタン４１６が、画像表示領域４１５に表示する画像４３１の時間間隔を３０秒とする時間軸選択ボタン４１６−２であるか否かを判定する。
【０２１０】
ステップＳ１８４において、時間間隔を３０秒とする時間軸選択ボタン４１６−２であると判定された場合、ステップＳ１８５に進み、時間軸設定部３６４は、設定保持部３６２が保持している時間軸情報により示される時間間隔を３０秒とする。
【０２１１】
また、読み込み制御部３６３は、選択された時間軸選択ボタン４１６−２の設定にしたがって、カーソル４１２により選択されているファイルの３０秒間隔の画像データをRAM３０３から読み出し、読み出した画像データを、表示制御部３５２を介して表示部３２３に供給する。表示部３２３は、表示制御部３５２から供給された画像データを基に、画像表示領域４１５に３０秒間隔の画像４３１を表示させて画像４３１の表示を更新し、表示更新処理は終了する。
【０２１２】
さらに、ステップＳ１８４において、時間間隔を３０秒とする時間軸選択ボタン４１６−２でないと判定された場合、ステップＳ１８６に進み、時間軸設定部３６４は、操作された時間軸選択ボタン４１６が、画像表示領域４１５に表示する画像４３１の時間間隔を１０秒とする時間軸選択ボタン４１６−３であるか否かを判定する。
【０２１３】
ステップＳ１８６において、時間間隔を１０秒とする時間軸選択ボタン４１６−３であると判定された場合、ステップＳ１８７に進み、時間軸設定部３６４は、設定保持部３６２が保持している時間軸情報により示される時間間隔を１０秒とする。
【０２１４】
また、読み込み制御部３６３は、選択された時間軸選択ボタン４１６−３の設定にしたがって、カーソル４１２により選択されているファイルの１０秒間隔の画像データをRAM３０３から読み出し、読み出した画像データを、表示制御部３５２を介して表示部３２３に供給する。表示部３２３は、表示制御部３５２から供給された画像データを基に、画像表示領域４１５に１０秒間隔の画像４３１を表示させて画像４３１の表示を更新し、表示更新処理は終了する。
【０２１５】
これに対して、ステップＳ１８６において、時間間隔を１０秒とする時間軸選択ボタン４１６−３でないと判定された場合、すなわち、時間間隔を１秒とする時間軸選択ボタン４１６−４が選択された場合、ステップＳ１８８に進み、時間軸設定部３６４は、設定保持部３６２が保持している時間軸情報により示される時間間隔を１秒とする。
【０２１６】
また、読み込み制御部３６３は、選択された時間軸選択ボタン４１６−４の設定にしたがって、カーソル４１２により選択されているファイルの１秒間隔の画像データをRAM３０３から読み出し、読み出した画像データを、表示制御部３５２を介して表示部３２３に供給する。表示部３２３は、表示制御部３５２から供給された画像データを基に、画像表示領域４１５に１秒間隔の画像４３１を表示させて画像４３１の表示を更新し、表示更新処理は終了する。
【０２１７】
このようにして、簡易編集装置１２は、時間軸選択ボタン４１６の操作にしたがって、画像表示領域４１５への画像４３１の表示を更新する。
【０２１８】
このように、時間軸選択ボタン４１６の操作にしたがって、画像表示領域４１５への画像４３１の表示を更新することによって、編集者は、時間軸選択ボタン４１６を選択するという簡単な操作を行うだけで、画像表示領域４１５に表示させる画像４３１の時間間隔を所望する時間間隔に変化させることができる。これにより、編集者はより簡単に画像の簡易編集を行うことができる。なお、より詳細には、時間軸選択ボタン４１６が選択されて画像４３１の表示が更新されると、次の時間軸選択ボタン４１６を選択するための表示更新処理が繰り返し行われる。
【０２１９】
また、編集者が入力部３０６を操作して、図１８に示したカーソル４１７の移動を指示すると、簡易編集装置１２は、カーソル４１７を移動させる処理であるカーソル移動処理を開始する。以下、図２２のフローチャートを参照して、簡易編集装置１２によるカーソル移動処理について説明する。
【０２２０】
ステップＳ２１１において、検出部３６１は、簡易編集画面４０１（図１８）上のカーソル４１７の図１８中、右方向への移動が指示されたか否かを判定する。例えば、編集者が入力部３０６を操作して、カーソル４１７の右方向への移動を指示し、入力部３０６から検出部３６１に、カーソル４１７の右方向への移動を指示する信号が供給された場合、検出部３６１は、右方向への移動が指示されたと判定する。
【０２２１】
ステップＳ２１１において、右方向への移動が指示されていないと判定された場合、ステップＳ２１２に進み、検出部３６１は、カーソル４１７の図１８中、左方向への移動が指示されたか否かを判定する。
【０２２２】
ステップＳ２１２において、左方向への移動が指示されていないと判定された場合、ステップＳ２１１に戻る。
【０２２３】
一方、ステップＳ２１２において、左方向への移動が指示されたと判定された場合、ステップＳ２１３に進み、検出部３６１は、カーソル４１７が図１８中、画像表示領域４１５の左端に位置しているか否かを判定する。
【０２２４】
ステップＳ２１３において、カーソル４１７が左端に位置していないと判定された場合、検出部３６１は、表示制御部３５２にカーソル４１７の左方向への移動を指示してステップＳ２１４に進む。
【０２２５】
ステップＳ２１４において、表示制御部３５２は表示部３２３を制御して、カーソル４１７を図中、左方向に移動させて、カーソル移動処理は終了する。例えば、図１８に示した位置にカーソル４１７がある状態において、カーソル４１７の左方向への移動が指示された場合、表示制御部３５２は、カーソル４１７を画像４３１−３の左側の辺の位置、すなわち、開始点４２１により示される位置に移動させる。
【０２２６】
また、ステップＳ２１３において、カーソル４１７が左端に位置していると判定された場合、ステップＳ２１５に進み、検出部３６１は、カーソル４１７の位置が画像表示領域４１５に表示されているファイルの開始位置であるか否かを判定する。例えば、図１８において、画像４３１−１が選択されているファイル“File-A”の１フレーム目の画像であり、カーソル４１７の位置が画像４３１−１の左側の辺の位置である場合、画像表示領域４１５には、画像４３１−１よりも撮影時刻の古い画像は表示されず、カーソル４１７をこれ以上左側に移動させることができないので、ファイルの開始位置であると判定される。
【０２２７】
ステップＳ２１５において、ファイルの開始位置でないと判定された場合、検出部３６１は、表示制御部３５２に画像表示領域４１５の右方向へのスクロールを指示してステップＳ２１６に進む。
【０２２８】
ステップＳ２１６において、表示制御部３５２は表示部３２３を制御して、画像表示領域４１５（に表示される画像４３１）を図中、右方向にスクロールさせる。画像表示領域４１５がスクロールされると、検出部３６１は、表示制御部３５２にカーソル４１７の左方向への移動を指示してステップＳ２１４に進み、上述したようにカーソル４１７は、図１８中、左方向に移動されてカーソル移動処理は終了する。
【０２２９】
これに対して、ステップＳ２１５において、ファイルの開始位置であると判定された場合、これ以上カーソル４１７を図１８中、左側に移動させることはできないので、ステップＳ２１６の処理およびステップＳ２１４の処理はスキップされて、カーソル移動処理は終了する。
【０２３０】
また、ステップＳ２１１において、右方向への移動が指示されたと判定された場合、ステップＳ２１７に進み、検出部３６１は、カーソル４１７が図１８中、画像表示領域４１５の右端に位置しているか否かを判定する。
【０２３１】
ステップＳ２１７において、カーソル４１７が右端に位置していないと判定された場合、検出部３６１は、表示制御部３５２にカーソル４１７の右方向への移動を指示してステップＳ２１８に進む。
【０２３２】
ステップＳ２１８において、表示制御部３５２は表示部３２３を制御して、カーソル４１７を図中、右方向に移動させて、カーソル移動処理は終了する。
【０２３３】
また、ステップＳ２１７において、カーソル４１７が右端に位置していると判定された場合、ステップＳ２１９に進み、検出部３６１は、カーソル４１７の位置が画像表示領域４１５に表示されているファイルの終了位置であるか否かを判定する。例えば、図１８において、画像４３１−６が画像表示領域４１５に表示される画像のうち、最も撮影時刻が新しい画像であり、カーソル４１７の位置が画像４３１−６の右側の辺の位置である場合、画像表示領域４１５には、画像４３１−６よりも撮影時刻の新しい画像は表示されず、カーソル４１７をこれ以上右側に移動させることができないので、ファイルの終了位置であると判定される。
【０２３４】
ステップＳ２１９において、ファイルの終了位置でないと判定された場合、検出部３６１は、表示制御部３５２に画像表示領域４１５の左方向へのスクロールを指示してステップＳ２２０に進む。
【０２３５】
ステップＳ２２０において、表示制御部３５２は表示部３２３を制御して、画像表示領域４１５（に表示される画像４３１）を図中、左方向にスクロールさせる。画像表示領域４１５がスクロールされると、検出部３６１は、表示制御部３５２にカーソル４１７の右方向への移動を指示してステップＳ２１８に進み、上述したようにカーソル４１７は、図１８中、右方向に移動されてカーソル移動処理は終了する。
【０２３６】
これに対して、ステップＳ２１９において、ファイルの終了位置であると判定された場合、これ以上カーソル４１７を図１８中、右側に移動させることはできないので、ステップＳ２２０の処理およびステップＳ２１８の処理はスキップされて、カーソル移動処理は終了する。
【０２３７】
このようにして、簡易編集装置１２は、編集者の操作に応じて画像４３１を選択するためのカーソル４１７を移動させる。
【０２３８】
このように、カーソル４１７を移動させるという簡単な操作だけで編集点を選択することができ、その結果、編集者は、より簡単に画像の簡易編集を行うことができる。
【０２３９】
次に、図２３のフローチャートを参照して、簡易編集装置１２による簡易編集処理について説明する。
【０２４０】
ステップＳ２５１において、編集処理部３６５は、簡易編集画面４０１（図１８）上の開始点設定ボタン４１９が操作されたか否かを判定する。例えば、編集者が入力部３０６を操作することにより、開始点設定ボタン４１９が操作（選択）され、編集者の操作に応じて入力部３０６から編集処理部３６５に、開始点設定ボタン４１９が操作された旨の信号が供給された場合、編集処理部３６５は、開始点設定ボタン４１９が操作されたと判定する。
【０２４１】
ステップＳ２５１において、開始点設定ボタン４１９が操作されていないと判定された場合、ステップＳ２５１に戻り、開始点設定ボタン４１９が操作されたと判定されるまで、判定の処理が繰り返される。
【０２４２】
これに対して、ステップＳ２５１において、開始点設定ボタン４１９が操作されたと判定された場合、ステップＳ２５２に進み、編集処理部３６５は、編集点としての開始点に、カーソル４１７により指示されている位置の時刻を設定する。
【０２４３】
例えば、カーソル４１７の位置が、図１８中、画像４３１−３の左側の辺の位置にある場合、すなわち、カーソル４１７により、画像４３１−３が選択されている場合、編集処理部３６５は、開始点に、画像４３１−３の撮影時刻を設定し、設定保持部３６２に、開始点（開始時刻）を示す情報として、画像４３１−３の撮影時刻を示す開始点情報を保持させる。また、編集処理部３６５は、表示制御部３５２に開始点４２１の表示を指示する。表示制御部３５２は、編集処理部３６５の指示に応じて、表示部３２３を制御し、画像表示領域４１５の図中、上側の設定された開始点に対応する位置（この場合、画像４３１−３の左側の辺の位置）に、開始点４２１を表示させる。
【０２４４】
ステップＳ２５３において、編集処理部３６５は、簡易編集画面４０１上の終了点設定ボタン４２０が操作されたか否かを判定する。例えば、編集者が入力部３０６を操作することにより、終了点設定ボタン４２０が操作（選択）され、編集者の操作に応じて入力部３０６から編集処理部３６５に、終了点設定ボタン４２０が操作された旨の信号が供給された場合、編集処理部３６５は、終了点設定ボタン４２０が操作されたと判定する。
【０２４５】
ステップＳ２５３において、終了点設定ボタン４２０が操作されていないと判定された場合、ステップＳ２５３に戻り、終了点設定ボタン４２０が操作されたと判定されるまで、判定の処理が繰り返される。
【０２４６】
これに対して、ステップＳ２５３において、終了点設定ボタン４２０が操作されたと判定された場合、ステップＳ２５４に進み、編集処理部３６５は、編集点としての終了点に、カーソル４１７により指示されている位置の時刻を設定する。
【０２４７】
例えば、カーソル４１７の位置が、図１８中、画像４３１−６の左側の辺の位置にある場合、すなわち、カーソル４１７により、画像４３１−６が選択されている場合、設定保持部３６２に、終了点（終了時刻）を示す情報として、画像４３１−６の撮影時刻を示す終了点情報を保持させる。また、編集処理部３６５は、表示制御部３５２に終了点４２２の表示を指示する。表示制御部３５２は、編集処理部３６５の指示に応じて、表示部３２３を制御し、画像表示領域４１５の図中、上側の設定された終了点に対応する位置（この場合、画像４３１−６の左側の辺の位置）に、終了点４２２を表示させる。
【０２４８】
ステップＳ２５５において、編集処理部３６５は、ステップＳ２５４の処理において新たに設定された終了点４２２の直前の開始点を検索する。例えば、編集処理部３６５は、設定保持部３６２に保持されている開始点情報のうち、終了点４２２により示される時刻より古い（過去の）時刻であって、終了点４２２により示される時刻に最も近い時刻を示す開始点情報を検索する。編集処理部３６５は、検索された開始点情報を表示制御部３５２に供給する。
【０２４９】
ステップＳ２５６において、表示制御部３５２は、編集処理部３６５から供給された開始点情報に基づいて、その開始点情報により示される開始点４２１と、新たに表示された終了点４２２とを結ぶ直線を表示させて、簡易編集処理は終了する。これにより、図１８に示したように、開始点４２１と終了点４２２とを結ぶ直線が表示される。なお、より詳細には、開始点４２１と終了点４２２とを結ぶ直線が表示されると、新たな開始点および終了点を設定するための簡易編集処理が繰り返し行われる。
【０２５０】
このようにして、簡易編集装置１２は、記録媒体２１に記録されているプロキシデータを基に、編集者の操作に応じて開始点および終了点を設定することにより、画像の簡易編集を行う。
【０２５１】
このように、記録媒体２１に記録されているプロキシデータを基に、開始点および終了点を設定して画像の簡易編集を行うことにより、編集者は低解像度の画像を用いて簡易編集を行うことができるので、より迅速に、より簡単に撮影した画像の簡易編集を行うことができる。
【０２５２】
次に、図２４のフローチャートを参照して、簡易編集装置１２による書き出し処理について説明する。
【０２５３】
ステップＳ２８１において、書き出し制御部３３６は、書き出しボタン４２３（図１８）が操作されたか否かを判定する。ステップＳ２８１において、書き出しボタン４２３が操作されていないと判定された場合、ステップＳ２８１に戻り、書き出しボタン４２３が操作されたと判定されるまで判定の処理が繰り返される。
【０２５４】
これに対して、ステップＳ２８１において、書き出しボタン４２３が操作されたと判定された場合、ステップＳ２８２に進み、書き出し制御部３３６は、カーソル４１２（図１８）により選択されているファイル（プロキシデータ）の最後（EOCの後）に、１つの開始点および１つの終了点の組からなるカット（cut）の数を示すNum of cutを配置し、Meta data pointerにNum of cutが配置された位置を書き込む。ここで、Num of cutにより示されるカットの数は０とされる。
【０２５５】
ステップＳ２８３において、書き出し制御部３３６は、設定保持部３６２に保持されている開始点情報、および終了点情報を参照して、最初の開始点および終了点を検索する。すなわち、書き出し制御部３３６は、設定保持部３６２に保持されている開始点情報により示される開始点、および終了点情報により示される終了点のうち、最も古い（過去の）開始点（開始時刻）および終了点（終了時刻）を検索する。
【０２５６】
ステップＳ２８４において、書き出し制御部３３６は、カーソル４１２により選択されているファイル（プロキシデータ）の最後（すなわち、Num of cutの後）に、開始点を示すStart time、および終了点を示すEnd timeを付加（配置）する。ここで、Start timeにより示される撮影時刻、およびEnd timeにより示される撮影時刻は、それぞれ検索された開始点および終了点とされる。
【０２５７】
これにより、記録媒体２１に記録されている、カーソル４１２により選択されたファイル（プロキシデータ）には、例えば、図２５に示すように、最後のEOCに続いて、Num of cutが配置され、さらに、Num of cutに続いてStart timeおよびEnd timeが順番に配置（付加）される。
【０２５８】
Num of cutの次のStart timeおよびEnd timeは、ステップＳ２８３において検索された、最初の開始点および終了点を示しており、その次（２番目）に配置されるStart timeおよびEnd timeは、設定保持部３６２に保持されている開始点情報により示される開始点、および終了点情報により示される終了点のうち、２番目に古い（過去の）開始点および終了点を示しており、順次、撮影時刻の古い順番に開始点および終了点を示すStart timeおよびEnd timeが配置（付加）される。
【０２５９】
なお、図２５に示すファイル（プロキシデータ）は、図１３に示したファイルの最後に、Num of cutが配置され、その後に、さらにStart timeおよびEnd timeが順番に配置されたものとなっており、図１３と対応する部分については繰り返しになるので、その説明は省略する。
【０２６０】
また、図２５に示すファイルのMeta data pointerには、Num of cutが配置された位置が書き込まれており、このMeta data pointerを参照することにより、Num of cutが配置された位置を知ることができるようになされている。これによりカットの数、およびNum of cutに続くStart timeおよびEnd timeを知ることができる。
【０２６１】
さらに、ファイルに追加されて配置されるStart timeまたはEnd timeは、例えば、図２６に示すように48bit（6byte）のデータとされる。図２６に示すStart timeまたはEnd timeは、先頭（図中、左側）から順番に、Start timeまたはEnd timeが示す撮影時刻（撮影年月日および撮影開始時刻）を表わす12bitの年、4bitの月、5bitの日、5bitの時、6bitの分、6bitの秒、および5bitのフレームが配置される。
【０２６２】
ここで、フレームは、例えば、１秒間に３０フレーム撮影される場合、１乃至３０のいずれかの数とされる。また、フレームに続いて5bitの予備が配置される。この予備は、任意のデータとされる。
【０２６３】
図２４のフローチャートの説明に戻り、ファイルの最後にStart timeおよびEnd timeが配置されると、ステップＳ２８５において、書き出し制御部３３６は、Num of cutにより示されるカットの数をインクリメントする。
【０２６４】
ステップＳ２８６において、書き出し制御部３３６は、ファイルの最後に配置したStart timeおよびEnd timeにより示される開始点および終了点が、最後の開始点および終了点であるか否かを判定する。すなわち、書き出し制御部３３６は、設定保持部３６２に保持されている全ての開始点情報により示される開始点、および終了点情報により示される終了点について、開始点および終了点を示すStart timeおよびEnd timeを配置したか否かを判定する。
【０２６５】
ステップＳ２８６において、最後の開始点および終了点であると判定された場合、全ての開始点および終了点を示すStart timeおよびEnd timeを配置したので、書き出し処理は終了する。
【０２６６】
一方、ステップＳ２８６において、最後の開始点および終了点でないと判定された場合、ステップＳ２８７に進み、書き出し制御部３３６は、次の開始点および終了点を検索し、ステップＳ２８４に戻る。すなわち、書き出し制御部３３６は、設定保持部３６２に保持されている開始点情報により示される開始点、および終了点情報により示される終了点のうち、ファイルの最後に配置されたStart timeおよびEnd timeにより示される撮影時刻の次に古い（過去の）開始点および終了点を検索し、検索された開始点および終了点を示すStart timeおよびEnd timeを、新たにファイルの最後に配置する。
【０２６７】
このようにして、簡易編集装置１２は、簡易編集されたファイルの最後に、編集点を示すStart timeおよびEnd timeを配置する。
【０２６８】
このように、簡易編集されたファイルの最後に、編集点を示すStart timeおよびEnd timeを配置することで、簡易編集装置１２とは異なる他の装置に、記録媒体２１を装着した場合においても、その装置がファイルに追加して配置されたStart timeおよびEnd timeを参照して、簡易編集された箇所を知ることができる。
【０２６９】
簡易編集装置１２において、撮影された画像が簡易編集されると、簡易編集された画像のファイル（プロキシデータ）が記録されている記録媒体２１、および撮影装置１１に装着されている記録媒体２２は、図１に示したように、読取装置２３に装着される。そして、記録媒体２１および記録媒体２２に記録されている画像データが編集装置１３に読み込まれ、編集作業が行われる。
【０２７０】
以下、図２７乃至図３９を参照して、読取装置２３および編集装置１３の構成および動作について説明する。
【０２７１】
図２７は、編集装置１３の構成例を示すブロック図である。
【０２７２】
編集装置１３は、CPU５０１、ROM５０２、RAM５０３、バス５０４、入出力インターフェース５０５、入力部５０６、出力部５０７、記録部５０８、および通信部５０９から構成される。なお、これらのCPU５０１乃至通信部５０９のそれぞれは、図１６のCPU３０１乃至通信部３０９のそれぞれと同様であるため、繰り返しになるのでその説明は省略する。また、入力部５０６のマウス５２１およびキーボード５２２も図１６のマウス３２１およびキーボード３２２と同様であり、出力部５０７の表示部５２３も図１６の表示部３２３と同様であるため、その説明は省略する。
【０２７３】
入出力インターフェース５０５には、編集装置１３と読取装置２３とをPCI Expressケーブルなどのケーブル７１（図４）で接続するためのPCI Expressカード５２４が装着されている。PCI Expressカード５２４には、ケーブル７１が接続されており、CPU５０１は、PCI Expressカード５２４を介して、読取装置２３とのデータの授受を行う。
【０２７４】
図２８は、編集装置１３の機能の構成例を示すブロック図である。
【０２７５】
編集装置１３は、RAM５０３、入力部５０６、通信部５０９、表示部５２３、制御部５５１、および表示制御部５５２から構成される。なお、図中、図２７における場合と対応する部分には同一の符号を付してあり、その説明は適宜省略する。
【０２７６】
制御部５５１は、編集装置１３の各部を制御する。制御部５５１は、検出部５６１、読み込み制御部５６２、設定保持部５６３、復号部５６４、解像度設定部５６５、時間軸設定部５６６、編集処理部５６７、および書き出し制御部５６８から構成される。
【０２７７】
ここで、検出部５６１乃至書き出し制御部５６８のそれぞれは、相互にデータを授受することが可能とされている。また、検出部５６１、設定保持部５６３、時間軸設定部５６６、編集処理部５６７、および書き出し制御部５６８のそれぞれは、図１７の検出部３６１、設定保持部３６２、時間軸設定部３６４、編集処理部３６５、および書き出し制御部３６６のそれぞれと同様であるため、その説明は省略する。
【０２７８】
読み込み制御部５６２は、読取装置２３に装着された記録媒体２１および記録媒体２２に記録されている画像データの読み込みを制御する。読み込み制御部５６２は、SOT変更部５８１および連結部５８２を含む。
【０２７９】
SOT変更部５８１は、読み込み制御部５６２が読み込んだ画像データのSOTを変更する。連結部５８２は、読み込み制御部５６２が読み込んだ画像データから、所定のデータを抽出し、抽出したデータを画像データの所定の位置に連結する。
【０２８０】
復号部５６４は、記録媒体２１および記録媒体２２から読み込んだ画像データを復号する。解像度設定部５６５は、編集を行うための編集画面上に表示する画像の解像度の設定を行う。
【０２８１】
また、編集装置１３に接続される読取装置２３は、例えば、図２９に示すように構成される。
【０２８２】
読取装置２３は、バッファ６１１−１乃至バッファ６１１−４、結合部６１２、PCI Express cableインターフェース６１３、カウンタ６１４、および変換レジスタ６１５から構成される。
【０２８３】
バッファ６１１−１乃至バッファ６１１−４のそれぞれは、読取装置２３に記録媒体２１および記録媒体２２が装着されると、記録媒体２１および記録媒体２２のそれぞれから画像データを取得して、取得した画像データを一時的に記憶する。なお、以下、バッファ６１１−１乃至バッファ６１１−４のそれぞれを個々に区別する必要のない場合、単にバッファ６１１と称する。
【０２８４】
結合部６１２は、変換レジスタ６１５から供給された、画像データを多重化する順番を示す順序情報に基づいて、バッファ６１１から所定のデータ量ずつ画像データを読み出して多重化し、多重化された画像データを、PCI Express cableインターフェース６１３を介して、編集装置１３に供給する。
【０２８５】
より詳細には、PCI Express cableインターフェース６１３は、結合部６１２から供給された画像データを、ケーブル７１を介してPCI Expressカード５２４に設けられたPCI Express cableインターフェース６１６に供給し、PCI Express cableインターフェース６１６は、読取装置２３から供給された画像データを編集装置１３に供給する。
【０２８６】
カウンタ６１４は、１乃至４のいずれかの値を保持する。また、カウンタ６１４は、結合部６１２が所定のデータ量の画像データをバッファ６１１から取得するごとに、保持している値をインクリメントし、保持している値が４である状態において、結合部６１２が所定のデータ量の画像データをバッファ６１１から取得すると、保持している値を１にセットする。
【０２８７】
変換レジスタ６１５は、カウンタ６１４が保持している値を参照して、順序情報を生成して結合部６１２に供給する。
【０２８８】
読取装置２３に記録媒体２１および記録媒体２２が装着され、編集者によりマウス５２１、キーボード５２２などの入力部５０６が操作されて画像の編集の開始が指示されると、表示部５２３には、例えば、図３０に示す編集画面６４１が表示される。
【０２８９】
なお、図中、図１８における場合と対応する部分には同一の符号を付してあり、その説明は適宜省略する。
【０２９０】
編集画面６４１には、図１８に示した簡易編集画面４０１に、新たに解像度選択ボタン６５１−１乃至解像度選択ボタン６５１−３が設けられている。解像度選択ボタン６５１−１乃至解像度選択ボタン６５１−３のそれぞれは、画像表示領域４１５に表示される画像４３１の解像度を選択するためのボタンであり、解像度選択ボタン６５１−１乃至解像度選択ボタン６５１−３のそれぞれの図中、右側には、それぞれ文字“高”、“中”、および“低”が表示されている。
【０２９１】
また、解像度選択ボタン６５１−１乃至解像度選択ボタン６５１−３のうち、選択されている解像度選択ボタンの中央には、丸が表示される。図３０では、解像度選択ボタン６５１−２の中央に丸が表示されているので、選択されている解像度選択ボタンは、解像度選択ボタン６５１−２となる。
【０２９２】
解像度高を示す解像度選択ボタン６５１−１が選択されると、画像表示領域４１５には、高解像度の画像４３１が表示され、解像度中を示す解像度選択ボタン６５１−２が選択されると、画像表示領域４１５には、解像度選択ボタン６５１−１が選択された場合よりも、解像度の低い画像４３１が表示され、解像度低を示す解像度選択ボタン６５１−３が選択されると、画像表示領域４１５には、解像度選択ボタン６５１−２が選択された場合よりも、さらに解像度の低い画像４３１が表示される。
【０２９３】
なお、以下、解像度選択ボタン６５１−１乃至解像度選択ボタン６５１−３のそれぞれを個々に区別する必要のない場合、単に解像度選択ボタン６５１と称する。
【０２９４】
次に、図３１のフローチャートを参照して、編集装置１３による検出処理について説明する。
【０２９５】
ステップＳ４０１において、検出部５６１（図２８）は、記録媒体２１および記録媒体２２が読取装置２３に装着されたか否かを判定する。ステップＳ４０１において、読取装置２３に装着されていないと判定された場合、ステップＳ４０１に戻り、装着されたと判定されるまで、判定の処理が繰り返される。
【０２９６】
これに対してステップＳ４０１において、読取装置２３に装着されたと判定された場合、ステップＳ４０２に進み、検出部５６１は、装着された記録媒体は４つであるか否かを判定する。
【０２９７】
ステップＳ４０２において、装着された記録媒体が４つではないと判定された場合、ステップＳ４０１に戻り、上述した処理が繰り返される。
【０２９８】
これに対して、ステップＳ４０２において、装着された記録媒体は４つであると判定された場合、ステップＳ４０３に進み、読み込み制御部５６２は、読取装置２３に装着されている４つの記録媒体から、グループＩＤおよびアイテムＩＤを読み出す。
【０２９９】
すなわち、読み込み制御部５６２は、読取装置２３に装着された記録媒体２１および記録媒体２２のそれぞれから、記録媒体２１および記録媒体２２に記録されているファイルの先頭に配置されたグループＩＤおよびアイテムＩＤを読み出す。
【０３００】
ステップＳ４０４において、読み込み制御部５６２は、記録媒体２１および記録媒体２２−１乃至記録媒体２２−３のそれぞれから読み出したグループＩＤが全て同じであるか否かを判定する。
【０３０１】
ステップＳ４０４において、グループＩＤが全て同じであると判定された場合、ステップＳ４０５に進み、読み込み制御部５６２は、読み出したアイテムＩＤが“１”である記録媒体に記録されているプロキシデータを参照して、プロキシデータとして記録媒体に記録されているファイルのリストを示す情報を生成して、生成したファイルのリストを示す情報をRAM５０３に供給して記憶させる。また、表示制御部５５２は、RAM５０３に記憶されているファイルのリストを示す情報を取得して表示部５２３に供給する。
【０３０２】
例えば、図１１のフローチャートを参照して説明したように、アイテムＩＤが１である記録媒体（この場合、記録媒体２１）は、プロキシデータが記録されている記録媒体であるので、読み込み制御部５６２は、その記録媒体に記録されているプロキシデータを参照して、ファイルのリストを示す情報を生成する。
【０３０３】
ステップＳ４０６において、表示部５２３は、表示制御部５５２から供給されたファイルのリストを示す情報を基に、編集画面６４１（図３０）のリスト表示領域４１１に、ファイル名を並べて表示することにより、ファイルのリストを表示して、検出処理は終了する。
【０３０４】
また、ステップＳ４０４において、グループＩＤが全て同じではないと判定された場合、装着された４つの記録媒体から１つの画像データを得ることはできないので、ステップＳ４０７に進み、表示部５２３は、表示制御部５５２の制御の基に、編集者に、正しい記録媒体（同じグループＩＤが含まれたファイルが記録されている記録媒体）の装着を促すメッセージを表示して、ステップＳ４０１に戻る。
【０３０５】
このようにして、編集装置１３は、読取装置２３に記録媒体２１および記録媒体２２が装着されると、これを検出して、記録媒体２１および記録媒体２２に記録されているファイルのリストを表示する。
【０３０６】
このように、ファイルのリストを表示することによって、編集者は記録媒体に記録されているファイルを簡単に選択して表示させることができる。また、グループＩＤおよびアイテムＩＤを用いて、１つの画像データが分割されて記録されている記録媒体２１および記録媒体２２を管理することによって、記録媒体２１および記録媒体２２のそれぞれが、どのスロットに挿入された場合にも、それぞれの記録媒体を識別することができ、どの記録媒体に画像データのどの部分が記録されているかを簡単に知ることができる。
【０３０７】
次に、図３２のフローチャートを参照して、編集装置１３による表示処理について説明する。
【０３０８】
ステップＳ４３１において、読み込み制御部５６２は、読み込みボタン４１４（図３０）が操作されたか否かを判定する。
【０３０９】
ステップＳ４３１において、読み込みボタン４１４が操作されていないと判定された場合、ステップＳ４３１に戻り、読み込みボタン４１４が操作されたと判定されるまで、判定の処理が繰り返される。
【０３１０】
一方、ステップＳ４３１において、読み込みボタン４１４が操作されたと判定された場合、ステップＳ４３２に進み、読み込み制御部５６２は、カーソル４１２により選択されているファイル（画像データ）を、読取装置２３を介して記録媒体２１および記録媒体２２から読み込んで、RAM５０３に格納する。
【０３１１】
ステップＳ４３３において、読み込み制御部５６２は、時間軸選択ボタン４１６のうち、選択されている時間軸選択ボタン４１６を検出する。例えば、設定保持部５６３には、選択されている時間軸選択ボタン４１６により示される時間間隔を示す時間軸情報が保持されており、読み込み制御部５６２は、設定保持部５６３が保持している時間軸情報を参照することにより、選択されている時間軸選択ボタン４１６を検出する。
【０３１２】
選択されている時間軸選択ボタン４１６が検出されると、読み込み制御部５６２は選択された時間軸選択ボタン４１６の設定にしたがって、RAM５０３からカーソル４１２により選択されているファイルを読み出し、読み出したファイルを、表示制御部５５２を介して表示部５２３に供給する。
【０３１３】
例えば、時間軸選択ボタン４１６−１が選択されている場合、画像表示領域４１５に表示する画像４３１は、１分ごとの画像であるので、読み込み制御部５６２は、選択されているファイル（画像データ）の最初のフレームの画像データ、および撮影時刻が最初のフレームの画像データの撮影時刻のｉ分後（但し、ｉ≧１）である画像データをRAM５０３から取得して表示部５２３に供給する。
【０３１４】
ステップＳ４３４において、表示部５２３は、表示制御部５５２から供給された画像データを基に、選択されている時間軸選択ボタン４１６の設定にしたがって、画像表示領域４１５に画像４３１を表示させる。
【０３１５】
ステップＳ４３５において、読み込み制御部５６２は、RAM５０３に読み込んだファイルのプロキシデータに含まれるMeta data pointerの値が０であるか否かを判定する。
【０３１６】
例えば、図２５を参照して説明したように、プロキシデータにStart timeおよびEnd timeが含まれている場合、Meta data pointerの値は、Num of cutが配置された位置を示す値とされ、プロキシデータにStart timeおよびEnd timeが含まれていない場合、Meta data pointerの値は０とされる。したがって、プロキシデータにStart timeおよびEnd timeが含まれていない場合、Meta data pointerの値が０であると判定される。
【０３１７】
ステップＳ４３５において、Meta data pointerの値が０でないと判定された場合、ステップＳ４３６に進み、読み込み制御部５６２は、RAM５０３から、ファイルに含まれているStart timeおよびEnd timeを取得して、表示制御部５５２を介して表示部５２３に供給する。そして、表示部５２３は、表示制御部５５２から供給されたStart timeおよびEnd timeに基づいて、編集画面６４１に開始点４２１および終了点４２２（図３０）を表示して、表示処理は終了する。
【０３１８】
また、編集処理部５６７は、RAM５０３から、ファイルに含まれているStart timeおよびEnd timeを取得し、取得したStart timeおよびEnd timeにより示される撮影時刻を、そのファイルの編集点としての開始点を示す開始点情報、および終了点を示す終了点情報として設定保持部５６３に保持させる。
【０３１９】
このように、編集画面６４１においては、ファイルに含まれているStart timeおよびEnd timeに基づいて、画像の簡易編集時に定められた開始点および終了点が表示される。これにより、編集者は、簡易編集の結果を利用して、より簡単に画像の編集を行うことができる。
【０３２０】
また、ステップＳ４３５において、Meta data pointerの値が０であると判定された場合、ファイル（プロキシデータ）には、Start timeおよびEnd timeが含まれていないので、ステップＳ４３６の処理はスキップされて、表示処理は終了する。
【０３２１】
このようにして、編集装置１３は、選択されたファイルを読み込んで、読み込んだファイルに基づく画像を画像表示領域４１５に表示する。なお、より詳細には、選択されたファイルが読み込まれて表示されると、新たなファイルの画像を表示するための表示処理が繰り返し行われる。
【０３２２】
このように、選択されたファイルに基づく画像を画像表示領域４１５に表示することによって、編集者はより簡単に撮影した画像の編集を行うことができる。
【０３２３】
ところで、図３２を参照して説明した表示処理においては、編集装置１３は、複数の記録媒体２１および記録媒体２２から分割された画像データを読み込んで、画像を表示させると説明した。以下、図３３のフローチャートを参照して、記録媒体２１および記録媒体２２から分割された画像データを読み込む場合に編集装置１３（および読取装置２３）が行う、より詳細な処理について説明する。
【０３２４】
ステップＳ４７１において、読み込み制御部５６２は、入力部５０６からの信号に応じて、読取装置２３を介して、記録媒体２１および記録媒体２２から、カーソル４１２により選択されたファイルに含まれているアイテムＩＤを読み込む。例えば、読み込み制御部５６２は、記録媒体２１および記録媒体２２−１乃至記録媒体２２−３のそれぞれから、選択されたファイルに含まれているアイテムＩＤ“１”、“２”、“３”、および“４”のそれぞれを読み込む。
【０３２５】
ステップＳ４７２において、読み込み制御部５６２は、読み込んだアイテムＩＤに基づいて、読取装置２３の変換レジスタ６１５を制御し、アイテムＩＤ“１”により識別される記録媒体乃至アイテムＩＤ“４”により識別される記録媒体から読み出されたファイル（画像データ）の順番で、画像データが多重化されるように、変換レジスタ６１５の設定を行わせる。
【０３２６】
ステップＳ４７３において、読み込み制御部５６２は、結合部６１２に、記録媒体２１および記録媒体２２からの選択されたファイル（画像データ）の読み出しを指示する。結合部６１２は、読み込み制御部５６２の指示に応じて、バッファ６１１を介して、記録媒体２１および記録媒体２２−１乃至記録媒体２２−３のそれぞれから、例えば、選択されたファイルを512バイトずつ読み出して、読み出したファイルを多重化し、編集装置１３の制御部５５１に供給する。
【０３２７】
例えば、カウンタ６１４は、アイテムＩＤ“１”を示す値１を保持し、変換レジスタ６１５は、カウンタ６１４が保持している値“１”を参照し、アイテムＩＤ“１”を示す順序情報を生成して結合部６１２に供給する。そして、結合部６１２は、変換レジスタ６１５からの順序情報に基づいて、アイテムＩＤ“１”により識別される記録媒体２１から、選択されたファイル（画像データ）の最初の512バイトのデータを読み出す。
【０３２８】
続いて、カウンタ６１４は、結合部６１２が512バイトのデータを読み出したので、保持している値をインクリメントして“２”とし、変換レジスタ６１５は、カウンタ６１４の値を参照し、アイテムＩＤ“２”を示す順序情報を生成して結合部６１２に供給する。結合部６１２は、その順序情報に基づいて、アイテムＩＤ“２”により識別される記録媒体２２−１から、選択されたファイルの最初の512バイトのデータを読み出す。
【０３２９】
同様に、カウンタ６１４は、保持している値を“３”、“４”、“１”、“２”、・・・と値を１乃至４の順番で繰り返し（循環的に）変化させる。また、変換レジスタ６１５は、カウンタ６１４の値を参照して、順序情報を生成して結合部６１２に供給し、結合部６１２は、その順序情報に基づいて、順序情報により示されるアイテムＩＤによって識別される記録媒体から、選択されたファイルのデータを512バイトずつ読み出す。そして、結合部６１２は、記録媒体２１および記録媒体２２から、選択されたファイルを循環的に所定のデータ量ずつ読み出すと、読み出したファイルのデータを読み出した順番に並べて（多重化して）、多重化したファイル（画像データ）を、ケーブル７１を介して制御部５５１に供給する。
【０３３０】
ステップＳ４７４において、読み込み制御部５６２は、読取装置２３から供給されたファイルを、RAM５０３に供給して記憶させる。
【０３３１】
これにより、RAM５０３には、例えば、図３４Ａに示す画像データ（ファイル）が記憶される。図３４Ａでは、図中、左側に示すように、選択されたファイルの１フレーム目の画像データ、２フレーム目の画像データ、３フレーム目の画像データ、および４フレーム目の画像データが撮影されたフレーム順に並べられている。
【０３３２】
なお、図示は省略されているが、選択されたファイルの最後のフレームの画像データ、すなわち、各フレームの画像データのうち、最も図中、下側に配置されている画像データに続いて、Num of cut、並びに１または複数のStart timeおよびEnd timeが並べられて配置される。読み込み制御部５６２は、取得した画像データをフレーム順に並べ、さらに、最後のフレームの画像データに続けてNum of cut、並びにStart timeおよびEnd timeを並べて配置する。
【０３３３】
また、１つのフレームの画像データとして、図中、中央に示すように、アイテムＩＤ“１”により識別される記録媒体２１から読み出された画像データ、アイテムＩＤ“２”により識別される記録媒体２２−１から読み出された画像データ、アイテムＩＤ“３”により識別される記録媒体２２−２から読み出された画像データ、およびアイテムＩＤ“４”により識別される記録媒体２２−３から読み出された画像データが順番に並べられて記憶される。
【０３３４】
さらに、図中、右側の矢印Ｋ１１に示すように、記録媒体２１から読み出された画像データは、先頭（図中、上側）にグループＩＤおよびアイテムＩＤ“１”が配置され、続いてヘッダ、SOT、レベル０の画像データ、およびEOCが順番に並べられて配置されている。
【０３３５】
さらに、また、矢印Ｋ１２に示すように、記録媒体２２−１から読み出された画像データは、先頭（図中、上側）にグループＩＤおよびアイテムＩＤ“２”が配置され、続いてレベル１の画像データのサイズ情報、レベル１の画像データ、レベル２の画像データのサイズ情報、レベル２の画像データ、レベル３の画像データのサイズ情報、レベル３の画像データ、レベル４の画像データのサイズ情報、およびレベル４の画像データが順番に並べられて配置されている。
【０３３６】
同様に、矢印Ｋ１３および矢印Ｋ１４に示すように、記録媒体２２−２および記録媒体２２−３から読み出された画像データのそれぞれは、先頭にグループＩＤおよびアイテムＩＤが配置され、続いてレベル１の画像データのサイズ情報、レベル１の画像データ、レベル２の画像データのサイズ情報、レベル２の画像データ、レベル３の画像データのサイズ情報、レベル３の画像データ、レベル４の画像データのサイズ情報、およびレベル４の画像データが順番に並べられて配置されている。すなわち、読み込み制御部５６２は、記録媒体２１および記録媒体２２から読み出した１フレーム分の画像データを順番に並べて配置する。
【０３３７】
図３３のフローチャートの説明に戻り、ステップＳ４７４において、読取装置２３から供給されたファイルがRAM５０３に記憶されると、ステップＳ４７５において、読み込み制御部５６２の連結部５８２は、各フレームの画像データを、レベル０の画像データ乃至レベル４の画像データの順に並び替える。
【０３３８】
例えば、連結部５８２は、図３４Ｂに示すように、図３４Ａに示した記録媒体２１および記録媒体２２に記録されている画像データを、先頭（図中、上側）からヘッダ、SOT、レベル０の画像データ乃至レベル４の画像データ、およびEOCの順番に並び替える。
【０３３９】
ここで、レベル１の画像データ乃至レベル４の画像データのそれぞれは、図１４のフローチャートを参照して説明した処理と同様に、１バイトの画像データに分割されて順番に並べられる。
【０３４０】
例えば、連結部５８２は、記録媒体２２−１から読み出されたレベル１の画像データの最初の１バイトのデータを、レベル０の画像データの次に配置し、続いて、記録媒体２２−２から読み出されたレベル１の画像データの最初の１バイトのデータを配置し、さらに、その次に、記録媒体２２−３から読み出されたレベル１の画像データの最初の１バイトのデータを配置する。
【０３４１】
その後、同様に、連結部５８２は、記録媒体２２−１乃至記録媒体２２−３のそれぞれから読み出されたレベル１の画像データを１バイトずつ循環的に取得して、これまでに並べて配置した１バイトのレベル１の画像データに続けて順次配置する。これにより、図３４Ｂに示すレベル１の画像データ乃至レベル４の画像データのそれぞれは、図１０に示したインターリーブされる前のレベル１の画像データ乃至レベル４の画像データのそれぞれとなる。すなわち、連結部５８２は、記録媒体２１および記録媒体２２のそれぞれから読み出された画像データを基に、分割される前の符号化により得られた画像データを生成する。
【０３４２】
図３３のフローチャートの説明に戻り、RAM５０３に記憶されたファイルの各フレームの画像データが並び替えられると、ステップＳ４７６において、読み込み制御部５６２は、解像度低を示す解像度選択ボタン６５１−３が選択されているか否かを判定する。例えば、設定保持部５６３には、選択されている解像度選択ボタン６５１を示す解像度情報が保持されており、読み込み制御部５６２は、この解像度情報を参照することにより、解像度選択ボタン６５１−３が選択されているか否かを判定する。
【０３４３】
ステップＳ４７６において、解像度選択ボタン６５１−３が選択されていないと判定された場合、ステップＳ４７７に進み、読み込み制御部５６２は、解像度中を示す解像度選択ボタン６５１−２が選択されているか否かを判定する。
【０３４４】
ステップＳ４７７において、解像度選択ボタン６５１−２が選択されていないと判定された場合、すなわち、解像度選択ボタン６５１−１が選択されている場合、ステップＳ４７８に進み、読み込み制御部５６２のSOT変更部５８１は、RAM５０３に記憶されており、カーソル４１２により選択されているファイルの各フレームの画像データに含まれるSOTを変更し、ステップＳ４８２に進む。
【０３４５】
より具体的には、SOT変更部５８１は、ファイルの各フレームの画像データに含まれるSOTのサイズ情報により示される画像データの大きさ（データ量）を、レベル０の画像データの大きさから、レベル０の画像データ乃至レベル４の画像データの合計の大きさ（データ量）に変更する。
【０３４６】
また、ステップＳ４７７において、解像度選択ボタン６５１−２が選択されていると判定された場合、ステップＳ４７９に進み、読み込み制御部５６２のSOT変更部５８１は、RAM５０３に記憶されており、カーソル４１２により選択されているファイルの各フレームの画像データに含まれるSOTを変更する。
【０３４７】
より具体的には、SOT変更部５８１は、ファイルの各フレームの画像データに含まれるSOTのサイズ情報により示される画像データの大きさ（データ量）を、レベル０の画像データの大きさから、レベル０の画像データ乃至レベル２の画像データの合計の大きさ（データ量）に変更する。
【０３４８】
ステップＳ４８０において、読み込み制御部５６２の連結部５８２は、RAM５０３に記憶されており、カーソル４１２により選択されているファイルの各フレームの画像データに含まれるEOCの位置を、レベル４の画像データの次の位置から、レベル２の画像データの次の位置に変更し、ステップＳ４８２に進む。例えば、連結部５８２は、図３４Ｂに示した、レベル４の画像データに続いて配置されるEOCを抽出し（切り離し）、抽出したEOCをレベル２の画像データと、レベル３の画像データの間の位置に配置する。
【０３４９】
また、ステップＳ４７６において、解像度選択ボタン６５１−３が選択されていると判定された場合、ステップＳ４８１に進み、読み込み制御部５６２の連結部５８２は、RAM５０３に記憶されており、カーソル４１２により選択されているファイルの各フレームの画像データに含まれるEOCの位置を、レベル４の画像データの次の位置から、レベル０の画像データの次の位置に変更し、ステップＳ４８２に進む。
【０３５０】
ステップＳ４７８において、SOTが変更されるか、ステップＳ４８０において、EOCの位置が変更されるか、またはステップＳ４８１において、EOCの位置が変更されると、ステップＳ４８２において、復号部５６４は、カーソル４１２により選択されているファイルの各フレームの画像データのうち、ヘッダからEOCまでの画像データをRAM５０３から取得してJPEG2000方式により復号し、復号により得られた画像データを、表示制御部５５２を介して、表示部５２３に供給して読み込み処理は終了する。
【０３５１】
例えば、編集画面６４１（図３０）上において、解像度高を示す解像度選択ボタン６５１−１が選択されている場合、復号部５６４は、ファイルの各フレームの画像データのうち、図３４Ｂに示したヘッダ、レベル０の画像データ乃至レベル４の画像データ、およびEOCをRAM５０３から取得して復号する。これにより、画像表示領域４１５には、高解像度の画像４３１が表示される。
【０３５２】
このようにして、編集装置１３は、画像データに含まれるEOCの位置や、SOTを変更し、解像度選択ボタン６５１により選択された解像度に応じて、画像データを復号する。
【０３５３】
このように、画像データに含まれるEOCの位置や、SOTを変更することで、表示させる画像４３１の解像度を変更することができる。また、解像度選択ボタン６５１により選択された解像度に応じて、画像データを復号することによって、編集者の所望する解像度の画像を表示させて、編集作業を行うことができる。例えば、より解像度の低い画像を表示させて編集を行うと、復号部５６４による復号処理に必要な時間はより短くなるので、編集者はより迅速に編集を行うことができる。
【０３５４】
次に、図３５のフローチャートを参照して、編集装置１３による解像度選択処理について説明する。
【０３５５】
ステップＳ５１１において、解像度設定部５６５は、解像度選択ボタン６５１が操作（選択）されたか否かを判定する。ステップＳ５１１において、解像度選択ボタン６５１が操作されていないと判定された場合、ステップＳ５１１に戻り、解像度選択ボタン６５１が操作されたと判定されるまで、判定の処理が繰り返される。
【０３５６】
一方、ステップＳ５１１において、解像度選択ボタン６５１が操作されたと判定された場合、ステップＳ５１２に進み、解像度設定部５６５は、操作された解像度選択ボタン６５１が、解像度高を示す解像度選択ボタン６５１−１であるか否かを判定する。
【０３５７】
ステップＳ５１２において、解像度選択ボタン６５１−１であると判定された場合、ステップＳ５１３に進み、解像度設定部５６５は、設定保持部５６３が保持している解像度情報により示される解像度選択ボタン６５１を、解像度高を示す解像度選択ボタン６５１−１とする（解像度に高を設定する）。すなわち、解像度設定部５６５は、解像度選択ボタン６５１−１以外の解像度選択ボタン６５１の選択を解除し、解像度選択ボタン６５１―１を選択する。
【０３５８】
また、読み込み制御部５６２は、図３３のフローチャートを参照して説明したように、選択された解像度選択ボタン６５１―１にしたがって、カーソル４１２により選択されているファイルの各フレームの画像データに含まれるSOTを変更する。そして、復号部５６４は、選択されているファイルの各フレームの画像データのうち、ヘッダからEOCまでの画像データをRAM５０３から取得して復号し、復号により得られた画像データを、表示制御部５５２を介して表示部５２３に供給する。表示部５２３は、表示制御部５５２から供給された画像データを基に、画像表示領域４１５に表示されている画像４３１の解像度を変化させて画像４３１の表示を更新し、解像度選択処理は終了する。
【０３５９】
これに対して、ステップＳ５１２において、解像度選択ボタン６５１−１でないと判例された場合、ステップＳ５１４に進み、解像度設定部５６５は、操作された解像度選択ボタン６５１が、解像度中を示す解像度選択ボタン６５１−２であるか否かを判定する。
【０３６０】
ステップＳ５１４において、解像度選択ボタン６５１−２であると判定された場合、ステップＳ５１５に進み、解像度設定部５６５は、設定保持部５６３が保持している解像度情報により示される解像度選択ボタン６５１を、解像度中を示す解像度選択ボタン６５１−２とする（解像度に中を設定する）。
【０３６１】
また、読み込み制御部５６２は、選択された解像度選択ボタン６５１―２にしたがって、ファイルの各フレームの画像データに含まれるEOCの位置およびSOTを変更する。そして、復号部５６４は、各フレームの画像データのうち、ヘッダからEOCまでの画像データをRAM５０３から取得して復号し、復号により得られた画像データを、表示制御部５５２を介して表示部５２３に供給する。表示部５２３は、表示制御部５５２から供給された画像データを基に画像４３１の表示を更新し、解像度選択処理は終了する。
【０３６２】
さらに、ステップＳ５１４において、解像度選択ボタン６５１−２でないと判例された場合、すなわち、解像度選択ボタン６５１−３が操作された場合、ステップＳ５１６に進み、解像度設定部５６５は、設定保持部５６３が保持している解像度情報により示される解像度選択ボタン６５１を、解像度低を示す解像度選択ボタン６５１−３とする（解像度に低を設定する）。
【０３６３】
また、読み込み制御部５６２は、選択された解像度選択ボタン６５１―３にしたがって、各フレームの画像データに含まれるEOCの位置を変更する。そして、復号部５６４は、各フレームの画像データのうち、ヘッダからEOCまでの画像データをRAM５０３から取得して復号し、復号により得られた画像データを、表示制御部５５２を介して表示部５２３に供給する。表示部５２３は、表示制御部５５２から供給された画像データを基に画像４３１の表示を更新し、解像度選択処理は終了する。
【０３６４】
このようにして、編集装置１３は、編集者の操作に応じて解像度選択ボタン６５１を選択し、表示する画像の解像度を変化させる。
【０３６５】
このように、編集者の操作に応じて解像度選択ボタン６５１を選択し、表示する画像の解像度を変化させることによって、編集者は、所望する解像度の画像を表示させて、編集作業を行うことができる。なお、より詳細には、編集者の操作に応じて解像度選択ボタン６５１が選択されると、次の操作に応じて解像度選択ボタン６５１を選択する解像度選択処理が繰り返し行われる。
【０３６６】
次に、図３６のフローチャートを参照して、編集装置１３による表示更新処理について説明する。なお、図３６のステップＳ５４１の処理乃至ステップＳ５４８の処理のそれぞれは、図２１のステップＳ１８１の処理乃至ステップＳ１８８の処理のそれぞれと同様であるので、繰り返しになるのでその説明は省略する。
【０３６７】
また、図３６のステップＳ５４１の処理乃至ステップＳ５４８の処理のそれぞれは、図２８の時間軸設定部５６６により実行される。
【０３６８】
次に、図３７のフローチャートを参照して、編集装置１３によるカーソル移動処理について説明する。なお、図３７のステップＳ５８１の処理乃至ステップＳ５９０の処理のそれぞれは、図２２のステップＳ２１１の処理乃至ステップＳ２２０の処理のそれぞれと同様であるので、繰り返しになるのでその説明は省略する。
【０３６９】
また、図３７のステップＳ５８１の処理乃至ステップＳ５８３の処理、ステップＳ５８５の処理、ステップＳ５８７の処理、およびステップＳ５８９の処理のそれぞれは、図２８の検出部５６１により実行され、図３７のステップＳ５８４の処理、ステップＳ５８６の処理、ステップＳ５８８の処理、およびステップＳ５９０の処理のそれぞれは、図２８の表示制御部５５２により実行される。
【０３７０】
次に、図３８のフローチャートを参照して、編集装置１３による編集処理について説明する。
【０３７１】
ステップＳ６２１において、編集処理部５６７は、編集画面６４１（図３０）上の開始点設定ボタン４１９が操作されたか否かを判定する。
【０３７２】
ステップＳ６２１において、開始点設定ボタン４１９が操作されていないと判定された場合、ステップＳ６２１に戻り、開始点設定ボタン４１９が操作されたと判定されるまで、判定の処理が繰り返される。
【０３７３】
これに対して、ステップＳ６２１において、開始点設定ボタン４１９が操作されたと判定された場合、ステップＳ６２２に進み、編集処理部５６７は、編集点としての開始点に、カーソル４１７により指示されている位置の時刻を設定する。
【０３７４】
例えば、カーソル４１７の位置が、図３０中、画像４３１−３の左側の辺の位置である場合、編集処理部５６７は、開始点に、画像４３１−３の撮影時刻を設定し、設定保持部５６３に、開始点（開始時刻）を示す情報として、画像４３１−３の撮影時刻を示す開始点情報を保持させる。また、編集処理部５６７は、表示制御部５５２に開始点４２１の表示を指示する。表示制御部５５２は、編集処理部５６７の指示に応じて、表示部５２３を制御し、画像表示領域４１５の図中、上側の設定された開始点に対応する位置（この場合、画像４３１−３の左側の辺の位置）に、開始点４２１を表示させる。
【０３７５】
ステップＳ６２３において、編集処理部５６７は、終了点設定ボタン４２０が操作されたか否かを判定する。
【０３７６】
ステップＳ６２３において、終了点設定ボタン４２０が操作されていないと判定された場合、ステップＳ６２３に戻り、終了点設定ボタン４２０が操作されたと判定されるまで、判定の処理が繰り返される。
【０３７７】
これに対して、ステップＳ６２３において、終了点設定ボタン４２０が操作されたと判定された場合、ステップＳ６２４に進み、編集処理部５６７は、編集点としての終了点に、カーソル４１７により指示されている位置の時刻を設定する。
【０３７８】
例えば、カーソル４１７の位置が、図３０中、画像４３１−６の左側の辺の位置である場合、編集処理部５６７は、終了点（終了時刻）を示す情報として、画像４３１−６の撮影時刻を示す終了点情報を設定保持部５６３に保持させる。また、編集処理部５６７は、表示制御部５５２に終了点４２２の表示を指示する。表示制御部５５２は、編集処理部５６７の指示に応じて、表示部５２３を制御し、画像表示領域４１５の図中、上側の設定された終了点に対応する位置に、終了点４２２を表示させる。
【０３７９】
ステップＳ６２５において、編集処理部５６７は、ステップＳ６２４の処理において新たに設定された終了点４２２の直前の開始点を検索する。編集処理部５６７は、検索された開始点を示す開始点情報を表示制御部５５２に供給する。
【０３８０】
ステップＳ６２６において、表示制御部５５２は、編集処理部５６７から供給された開始点情報に基づいて、その開始点情報により示される開始点４２１と、新たに表示された終了点４２２とを結ぶ直線を表示させて編集処理は終了する。なお、より詳細には、開始点４２１と終了点４２２とを結ぶ直線が表示されると、新たな開始点および終了点を設定するための編集処理が繰り返し行われる。
【０３８１】
このようにして、編集装置１３は、編集者の操作に応じて開始点および終了点を設定することにより、画像の編集を行う。
【０３８２】
次に、図３９のフローチャートを参照して、編集装置１３による書き出し処理について説明する。
【０３８３】
ステップＳ６５１において、書き出し制御部５６８は、編集画面６４１上（図３０）の書き出しボタン４２３が操作されたか否かを判定する。ステップＳ６５１において、書き出しボタン４２３が操作されていないと判定された場合、ステップＳ６５１に戻り、書き出しボタン４２３が操作されたと判定されるまで、判定の処理が繰り返される。
【０３８４】
これに対して、ステップＳ６５１において、書き出しボタン４２３が操作されたと判定された場合、ステップＳ６５２に進み、書き出し制御部５６８は、所定の変数をＴとして、変数Ｔを記憶する。
【０３８５】
ステップＳ６５３において、書き出し制御部５６８は、設定保持部５６３に保持されている開始点情報により示される、カーソル４１２により選択されているファイルの開始点のうち、最初の（最も古い）開始点を検索し、その開始点（撮影時刻）を変数Ｔに代入する（変数Ｔの値とする）。
【０３８６】
ステップＳ６５４において、書き出し制御部５６８は、変数Ｔにより示される撮影時刻の画像データ、すなわち、撮影時刻が変数Ｔにより示される時刻であるフレームの画像データをRAM５０３から取得して、通信部５０９に供給する。
【０３８７】
例えば、書き出し制御部５６８は、図３４Ｂに示したヘッダ、SOT、レベル０の画像データ乃至レベル４の画像データ、およびEOCを１フレーム分の画像データとしてRAM５０３から取得する。なお、取得した画像データに含まれているEOCが、レベル４の画像データの次に配置されていない場合、例えば、EOCがレベル０の画像データの次に配置されている場合、書き出し制御部５６８は、必要に応じてEOCをレベル４の画像データの次に配置し、EOCが配置し直された画像データを通信部５０９に供給する。
【０３８８】
なお、書き出し制御部５６８が、EOCを配置し直さずに、ヘッダからEOCまでのデータを１フレーム分の画像データとして取得し、通信部５０９に供給するようにしてもよい。例えば、EOCがレベル０の画像データの次に配置されている場合、書き出し制御部５６８は、ヘッダ、SOT、レベル０の画像データ、およびEOCを１フレーム分の画像データとして取得する。
【０３８９】
ステップＳ６５５において、通信部５０９は、書き出し制御部５６８から供給された画像データを、通信網１５（図１）を介してサーバ１４に送信する。
【０３９０】
ステップＳ６５６において、書き出し制御部５６８は、記憶している変数Ｔの値に画像の１フレーム分の時間を加算する。
【０３９１】
ステップＳ６５７において、書き出し制御部５６８は、記憶している変数Ｔにより示される時刻が、設定保持部５６３に保持されている終了点情報により示される、カーソル４１２により選択されているファイルの終了点と同じ時刻であるか否かを判定する。例えば、最初の開始点の画像データから順番に連続するフレームの画像データを、サーバ１４に送信している場合、書き出し制御部５６８は、変数Ｔにより示される時刻が、最初の終了点、すなわち、設定保持部５６３に保持されている終了点情報のうち、最も古い（過去の）終了点と同じ時刻であるか否かを判定する。
【０３９２】
ステップＳ６５７において、変数Ｔにより示される時刻が、終了点と同じ時刻でないと判定された場合、まだ、１つのカットの終了点までの画像データを送信していないので、ステップＳ６５４に戻り上述した処理が繰り返される。
【０３９３】
これに対して、ステップＳ６５７において、変数Ｔにより示される時刻が、終了点と同じ時刻であると判定された場合、１つのカットの画像データを全て送信したので、ステップＳ６５８に進む。
【０３９４】
ステップＳ６５８において、書き出し制御部５６８は、全てのカットの画像データを送信したか否かを判定する。すなわち、書き出し制御部５６８は、設定保持部５６３に保持されている全ての開始点情報により示される時刻を変数Ｔに代入したか否かを判定する。
【０３９５】
ステップＳ６５８において、全てのカットの画像データを送信していないと判定された場合、次のカットの画像データを送信するので、ステップＳ６５９に進む。
【０３９６】
ステップＳ６５９において、書き出し制御部５６８は、設定保持部５６３に保持されている次の開始点情報により示される時刻を記憶している変数Ｔに代入し、ステップＳ６５４に戻る。例えば、書き出し制御部５６８は、設定保持部５６３に保持されている、カーソル４１２により選択されているファイルの開始点を示す開始点情報のうち、記憶している変数Ｔにより示される時刻よりも新しい（現在時刻により近い）時刻であって、変数Ｔにより示される時刻に最も近い撮影時刻を示す開始点情報を検索し、その開始点情報により示される時刻を変数Ｔに代入する。
【０３９７】
一方、ステップＳ６５８において、全てのカットの画像データを送信したと判定された場合、編集された画像データの送信が終了したので、書き出し処理は終了する。
【０３９８】
このようにして、編集装置１３は編集された画像データを、通信網１５を介してサーバ１４に送信する。
【０３９９】
このように、編集により定められた開始点および終了点を検索して、検索された開始点から終了点までの画像データを送信することによって、編集された画像データをより迅速に送信することができる。
【０４００】
以上のように、画像の撮影時に、画像データを分割して記録する複数の記録媒体のうち、１つの記録媒体に比較的解像度の低い画像を再生するための画像データを記録するようにしたので、複数の記録媒体に１つの画像データを記録した場合においても、より簡単に画像の再生または編集を行うことができる。
【０４０１】
また、複数の記録媒体に分割されて記録されている画像データのうち、必要に応じて、比較的解像度の低い画像を再生するための画像データだけを用いて、画像の編集を行うようにしたので、より簡単に画像の編集を行うことができる。
【０４０２】
なお、以上においては、撮影により得られた画像データを階層符号化し、階層符号化により得られたレベル０の画像データを、低解像度の画像データとして記録すると説明したが、撮影により得られた画像をサブサンプルすることにより、低解像度の画像データを生成するようにしてもよい。
【０４０３】
この場合、例えば、図５に示した撮影装置１１において、符号化部１０２は、撮像部１０１からの画像データを符号化せずにプロキシ抽出部１０３に供給する。プロキシ抽出部１０３の画像抽出部１２３、および画像抽出部１３０−１乃至画像抽出部１３０−３のそれぞれは、符号化部１０２からの画像をそれぞれサブサンプルし、これにより得られた画像データのそれぞれを、記録媒体２１、および記記録媒体２２−１乃至録媒体２２−３に供給して記録させる。ここで、記録媒体２１および記記録媒体２２のそれぞれに記録されている画像データを基に表示される画像のそれぞれを合成して得られる画像が、撮影により得られた画像となるように、画像のサブサンプルが行われる。
【０４０４】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０４０５】
図４０は、上述した図７、図１１、および図１４を参照して説明した処理をプログラムにより実行するパーソナルコンピュータの構成の例を示すブロック図である。
【０４０６】
パーソナルコンピュータ７０１は、CPU７１１、ROM７１２、RAM７１３、バス７１４、入出力インターフェース７１５、入力部７１６、出力部７１７、記録部７１８、通信部７１９、およびドライブ７２０から構成される。なお、これらのCPU７１１乃至ドライブ７２０のそれぞれは、図１６のCPU３０１乃至ドライブ３１０のそれぞれと同様であるため、繰り返しになるのでその説明は適宜省略する。
【０４０７】
入出力インターフェース７１５に接続されているドライブ７２０は、磁気ディスク、光ディスク、光磁気ディスク、或いは半導体メモリなどのリムーバブルメディア７３１が装着されたとき、それらを駆動し、そこに記録されているプログラムやデータなどを取得する。取得されたプログラムやデータは、必要に応じて記録部７１８に転送され、記録される。
【０４０８】
コンピュータにインストールされ、コンピュータによって実行可能な状態とされるプログラムを格納するプログラム記録媒体は、図１６、図２７、または図４０に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアである記録媒体２１やリムーバブルメディア７３１、または、プログラムが一時的もしくは永続的に格納されるROM３０２、ROM５０２、もしくはROM７１２や、記録部３０８、記録部５０８、もしくは記録部７１８を構成するハードディスクなどにより構成される。プログラム記録媒体へのプログラムの格納は、必要に応じてルータ、モデムなどのインターフェースである通信部３０９、通信部５０９、または通信部７１９を介して、ローカルエリアネットワーク、インターネット、デジタル衛星放送といった、有線または無線の通信媒体を利用して行われる。
【０４０９】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０４１０】
また、本明細書において、システムとは、複数の装置により構成される装置全体を表すものである。
【０４１１】
なお、本発明の実施の形態は、上述した実施の形態に限定されるものではなく、本発明の要旨を逸脱しない範囲において種々の変更が可能である。
【図面の簡単な説明】
【０４１２】
【図１】本発明を適用した画像処理システムの一実施の形態の構成例を示す図である。
【図２】撮影装置の外観を示す図である。
【図３】簡易編集装置の外観を示す図である。
【図４】編集装置および読取装置の外観を示す図である。
【図５】撮影装置の構成例を示すブロック図である。
【図６】分割部のより詳細な構成例を示すブロック図である。
【図７】撮影処理を説明するためのフローチャートである。
【図８】ＨＤ画像およびＳＤ画像を説明するための図である。
【図９】画像の周波数分解を説明するための図である。
【図１０】符号化された画像データを説明するための図である。
【図１１】プロキシデータ生成処理を説明するフローチャートである。
【図１２】グループＩＤを説明するための図である。
【図１３】プロキシデータを説明するための図である。
【図１４】画像データ生成処理を説明するためのフローチャートである。
【図１５】画像データを説明するための図である。
【図１６】簡易編集装置の構成例を示すブロック図である。
【図１７】簡易編集装置の機能の構成例を示すブロック図である。
【図１８】簡易編集画面を説明するための図である。
【図１９】検出処理を説明するためのフローチャートである。
【図２０】読み込み処理を説明するためのフローチャートである。
【図２１】表示更新処理を説明するためのフローチャートである。
【図２２】カーソル移動処理を説明するためのフローチャートである。
【図２３】簡易編集処理を説明するためのフローチャートである。
【図２４】書き出し処理を説明するためのフローチャートである。
【図２５】記録媒体に記録されたプロキシデータを説明するための図である。
【図２６】Start timeまたはEnd timeのフォーマットを説明するための図である。
【図２７】編集装置の構成例を示すブロック図である。
【図２８】編集装置の機能の構成例を示すブロック図である。
【図２９】読取装置の構成例を示すブロック図である。
【図３０】編集画面を説明するための図である。
【図３１】検出処理を説明するためのフローチャートである。
【図３２】表示処理を説明するためのフローチャートである。
【図３３】読み込み処理を説明するためのフローチャートである。
【図３４】RAMに記憶される画像データを説明するための図である。
【図３５】解像度選択処理を説明するためのフローチャートである。
【図３６】表示更新処理を説明するためのフローチャートである。
【図３７】カーソル移動処理を説明するためのフローチャートである。
【図３８】編集処理を説明するためのフローチャートである。
【図３９】書き出し処理を説明するためのフローチャートである。
【図４０】パーソナルコンピュータの構成例を示すブロック図である。
【符号の説明】
【０４１３】
１１  撮影装置，  １２  簡易編集装置，  １３  編集装置，  ２３  読取装置，  ２１  記録媒体，  ２２−１乃至２２−３，２２  記録媒体，  １０２  符号化部，  １０３  プロキシ抽出部，  １２３  画像抽出部，  １２６  SOT変更部，  １２７  グループＩＤ生成部，  １２８  アイテムＩＤ生成部，  １２９  結合部，  １３０−１乃至１３０−４，１３０  画像抽出部，  １３１  分割部，  １６２−１乃至１６２−４，１６４  分割部，  １６３−１乃至１６３−４，１６３  結合部，  １６４−１乃至１６４−３，１６４  アイテムＩＤ生成部，  １６５−１乃至１６５−３，１６５  結合部，  ３０１  CPU，  ３０２  ROM，  ３０３  RAM，  ３０６  入力部，  ３０７  出力部，  ３０８  記録部，  ３０９  通信部，  ３２３  表示部，  ３５１  制御部，  ３６１  検出部，  ３６３  読み込み制御部，  ３６５  編集処理部，  ３６６  書き出し制御部，  ５０１  CPU，  ５０２  ROM，  ５０３  RAM，  ５０６  入力部，  ５０７  出力部，  ５０８  記録部，  ５０９  通信部，  ５２３  表示部，  ５５１  制御部，  ５６１  検出部，  ５６２  読み込み制御部，  ５６７  編集処理部，  ５６８  書き出し制御部，  ５８１  SOT変更部，  ５８２  連結部，  ７０１  パーソナルコンピュータ，  ７１１  CPU，  ７１２  ROM，  ７１３  RAM，  ７１８  記録部，  ７３１  リムーバブルメディア
【図１】
0004640189.tif 000002
【図２】
0004640189.tif 000003
【図３】
0004640189.tif 000004
【図４】
0004640189.tif 000005
【図５】
0004640189.tif 000006
【図６】
0004640189.tif 000007
【図７】
0004640189.tif 000008
【図８】
0004640189.tif 000009
【図９】
0004640189.tif 000010
【図１０】
0004640189.tif 000011
【図１１】
0004640189.tif 000012
【図１２】
0004640189.tif 000013
【図１３】
0004640189.tif 000014
【図１４】
0004640189.tif 000015
【図１５】
0004640189.tif 000016
【図１６】
0004640189.tif 000017
【図１７】
0004640189.tif 000018
【図１８】
0004640189.tif 000019
【図１９】
0004640189.tif 000020
【図２０】
0004640189.tif 000021
【図２１】
0004640189.tif 000022
【図２２】
0004640189.tif 000023
【図２３】
0004640189.tif 000024
【図２４】
0004640189.tif 000025
【図２５】
0004640189.tif 000026
【図２６】
0004640189.tif 000027
【図２７】
0004640189.tif 000028
【図２８】
0004640189.tif 000029
【図２９】
0004640189.tif 000030
【図３０】
0004640189.tif 000031
【図３１】
0004640189.tif 000032
【図３２】
0004640189.tif 000033
【図３３】
0004640189.tif 000034
【図３４】
0004640189.tif 000035
【図３５】
0004640189.tif 000036
【図３６】
0004640189.tif 000037
【図３７】
0004640189.tif 000038
【図３８】
0004640189.tif 000039
【図３９】
0004640189.tif 000040
【図４０】
0004640189.tif 000041